(57)【要約】【課題】使用者が行う運動に応じて、情報やサービスを提供できるようにし、使用者が運動を継続して行えるように支援できるようにする。【解決手段】音響再生装置１において運動目標設定条件、運動情報の履歴、音楽の再生履歴を取得して記憶保持し、これらの情報の内の少なくとも１つの情報を含むサービス提供要求を情報処理装置２において生成して、これをネットワークを１００を通じてサービス情報提供装置３に提供する。これに応じてサービス情報提供装置３において生成したサービス情報をサービス情報提供装置３から要求元の情報処理装置２に返信し、情報処理装置２を通じて音響再生装置１の使用者に提供する。【選択図】図１
2008048757.tif 000002
【特許請求の範囲】
【請求項１】
携帯型音楽再生装置と、サービス情報提供装置と、情報処理装置とからなる健康運動支援システムであって、
前記携帯型音楽再生装置は、
使用者が行った運動に関する情報である運動情報を検出する検出部と、
再生すべき音楽を選曲して再生する音楽再生部と、
予め設定するようにされた前記運動目標設定条件と、前記検出部で検出された運動情報の履歴と、前記音楽再生部で再生された音楽の再生履歴とを記憶する記憶部と、
前記記憶部に記憶された情報を出力する情報出力部と
を備え、
前記サービス情報提供装置は、
前記情報処理装置を介して提供される前記携帯型音楽再生装置の前記運動目標設定条件と前記運動情報の履歴と前記音楽の再生履歴とのうち少なくとも１つの情報を受ける情報入力部と、
前記情報入力部を通じて受け付けた前記情報に基づき、前記携帯型音楽再生装置の利用者へのサービス情報を作成するサービス情報生成部と、
前記サービス情報を出力するサービス情報出力部と
を備え、
前記情報処理装置は、
前記携帯型音楽再生装置から前記運動目標設定条件と前記運動情報の履歴と前記音楽の再生履歴とのうち少なくとも１つの情報を受ける情報入力部と、
前記情報入力部を通じて入力された前記情報を前記サービス情報提供装置に送信する送信部と、
前記サービス情報提供装置から出力されたサービス情報を受信する受信部と、
前記サービス情報を前記利用者へ提供する提供手段と
を備えることを特徴とする健康運動支援システム。
【請求項２】
請求項１に記載の健康運動支援システムであって、
前記サービス情報提供装置の前記サービス情報生成部で生成されるサービス情報は、前記携帯型音楽再生装置の使用者が行ったであろう運動量の累計に応じて生成される情報であって、少なくとも前記携帯型音楽再生装置において再生可能な音楽コンテンツに関する情報を含むことを特徴とする健康運動支援システム。
【請求項３】
請求項１に記載の健康運動支援システムであって、
前記サービス情報提供装置の前記サービス情報生成部で生成されるサービス情報は、前記携帯型音楽再生装置の使用者が行ったであろう運動量の累計に応じて生成される情報であって、少なくとも運動量の次の目標を示唆する情報を含むことを特徴とする健康運動支援システム。
【請求項４】
請求項１に記載の健康運動支援システムであって、
前記サービス情報提供装置の前記サービス情報生成部で生成されるサービス情報は、前記携帯型音楽再生装置の使用者が行ったであろう運動量に応じて生成される情報であって、少なくとも運動量に応じた健康管理情報を含むことを特徴とする健康運動支援システム。
【請求項５】
請求項１に記載の健康運動支援システムであって、
前記サービス情報提供装置の前記サービス情報生成部で生成されるサービス情報は、前記携帯型音楽再生装置の使用者が行ったであろう運動量に応じて、イベントキャンペーンへの応募を可能し、あるいは、前記運動情報の履歴と前記音楽の再生履歴との一方あるいは両方に基づいた情報を提供することを特徴とする健康運動支援システム。
【請求項６】
携帯型音楽再生装置と、サービス情報提供装置と、情報処理装置とからなる健康運動支援システムの前記携帯型音楽再生装置であって、
使用者が行った運動に関する情報である運動情報を検出する検出部と、
再生すべき音楽を選曲して再生する音楽再生部と、
予め設定するようにされる前記運動目標設定条件と、前記検出部で検出された運動情報の履歴と、前記音楽再生部で再生された音楽の再生履歴とを記憶する記憶部と、
前記記憶部に記憶された情報を前記情報処理装置に対して出力する情報出力部と
を備えることを特徴とする携帯型音楽再生装置。
【請求項７】
携帯型音楽再生装置と、サービス情報提供装置と、情報処理装置とからなる健康運動支援システムの前記サービス情報提供装置であって、
前記情報処理装置を介して提供される前記携帯型音楽再生装置からの運動目標設定条件と運動情報の履歴と音楽の再生履歴とのうち少なくとも１つの情報を受ける情報入力部と、
前記情報入力部を通じて受け付けた前記情報に基づき、前記携帯型音楽再生装置の利用者へのサービス情報を作成するサービス情報生成部と、
前記サービス情報を出力するサービス情報出力部と
を備えることを特徴とするサービス情報提供装置。
【請求項８】
携帯型音楽再生装置と、サービス情報提供装置と、情報処理装置とからなる健康運動支援システムの前記情報処理装置であって、
前記携帯型音楽再生装置からの運動目標設定条件と運動情報の履歴と音楽の再生履歴とのうち少なくとも１つの情報を受ける情報入力部と、
前記情報入力部を通じて入力された前記情報を前記サービス情報提供装置に送信する送信部と、
前記サービス情報提供装置から出力されたサービス情報を受信する受信部と、
前記サービス情報を前記利用者へ提供する提供手段と
を備えることを特徴とする情報処理装置。
【請求項９】
携帯型音楽再生装置と、サービス情報提供装置とからなる健康運動支援システムであって、
前記携帯型音楽再生装置は、
使用者が行った運動に関する情報である運動情報を検出する検出部と、
再生すべき音楽を選曲して再生する音楽再生部と、
予め設定するようにされる前記運動目標設定条件と、前記検出部で検出される運動情報の履歴と、前記音楽再生部で再生された音楽の再生履歴とを記憶する記憶部と、
前記記憶部に記憶された前記運動目標設定条件と前記運動情報の履歴と前記音楽の再生履歴とのうち少なくとも１つの情報を前記サービス情報提供装置に送信する送信部と、
前記サービス情報提供装置から出力されたサービス情報を受信する受信部と、
前記サービス情報を前記利用者へ提供する提供手段と
を備え、
前記サービス情報提供装置は、
前記携帯型音楽再生装置の前記送信部から送信される前記運動目標設定条件と前記運動情報の履歴と前記音楽の再生履歴とのうち少なくとも１つの情報を受ける情報入力部と、
前記情報入力部を通じて受け付けた前記情報に基づき、前記携帯型音楽再生装置の利用者へのサービス情報を作成するサービス情報生成部と、
前記サービス情報を前記携帯型音楽再生装置に対して出力するサービス情報出力部と
を備えることを特徴とする健康運動支援システム。
【請求項１０】
携帯型音楽再生装置と、サービス情報提供装置とからなる健康運動支援システムの前記携帯型音楽再生装置であって、
使用者が行った運動に関する情報である運動情報を検出する検出部と、
再生すべき音楽を選曲して再生する音楽再生部と、
予め設定するようにされる前記運動目標設定条件と、前記検出部で検出される運動情報の履歴と、前記音楽再生部で再生された音楽の再生履歴とを記憶する記憶部と、
前記記憶部に記憶された前記運動目標設定条件と前記運動情報の履歴と前記音楽の再生履歴とのうち少なくとも１つの情報を前記サービス情報提供装置に送信する送信部と、
前記サービス情報提供装置から出力されたサービス情報を受信する受信部と、
前記サービス情報を前記利用者へ提供する提供手段と
を備えることを特徴とする携帯型音楽再生装置。
【請求項１１】
携帯型音楽再生装置と、サービス情報提供装置とからなる健康運動支援システムの前記サービス情報提供装置であって、
前記携帯型音楽再生装置の前記送信部から送信される前記運動目標設定条件と前記運動情報の履歴と前記音楽の再生履歴とのうち少なくとも１つの情報を受ける情報入力部と、
前記情報入力部を通じて受け付けた前記情報に基づき、前記携帯型音楽再生装置の利用者へのサービス情報を作成するサービス情報生成部と、
前記サービス情報を前記携帯型音楽再生装置に対して出力するサービス情報出力部と
を備えることを特徴とするサービス情報提供装置。
【請求項１２】
再生可能な音楽データと該音楽データの属性情報を記憶する音楽情報記憶部と、
運動目標設定条件の入力を受け付ける入力受付手段と、
前記運動目標設定条件を記憶する運動目標設定条件記憶部と、
前記音楽データの属性情報に基づいて前記運動目標設定条件に適した音楽データを選択してプレイリストを作成するプレイリスト作成部と、
使用者が行った運動に関する情報である運動情報を検出する検出部と、
前記運動目標設定条件と前記プレイリストと前記運動情報に基づいて再生する音楽データを選曲して再生する音楽再生部と、
前記再生された音楽データの再生履歴を記憶する音楽再生履歴記憶部と、
前記運動情報の履歴を記憶する運動履歴記憶部と、
前記運動目標設定条件、音楽の再生履歴、運動情報の履歴のうち少なくとも１つの情報を出力する情報出力部と
を備えることを特徴とする携帯型音楽再生装置。
【請求項１３】
携帯型音楽再生装置と、サービス情報提供装置と、情報処理装置とからなる健康運動支援システムにおいての健康運動支援方法であって、
前記携帯型音楽再生装置においては、
再生すべき音楽を選曲して再生する音楽再生工程と、
再生される音楽に合わせて運動する使用者の運動に関する情報である運動情報を検出する検出工程と、
予め設定するようにされる前記運動目標設定条件と、前記検出工程で検出される運動情報の履歴と、前記音楽再生工程で再生された音楽の再生履歴とを記憶部に記録する記録工程と、
前記記憶部に記録された情報を前記情報処理装置に対して出力する情報出力工程と
を有し、
前記サービス情報提供装置においては、
前記情報処理装置を介して提供される前記携帯型音楽再生装置の前記運動目標設定条件と前記運動情報の履歴と前記音楽の再生履歴とのうち少なくとも１つの情報を受ける情報入力工程と、
前記情報入力工程を通じて受け付けた前記情報に基づき、前記携帯型音楽再生装置の利用者へのサービス情報を作成するサービス情報生成工程と、
前記サービス情報を前記情報処理装置に対して出力するサービス情報出力工程と
を有し、
前記情報処理装置においては、
前記携帯型音楽再生装置から前記運動目標設定条件と前記運動情報の履歴と前記音楽の再生履歴とのうち少なくとも１つの情報を受ける情報入力工程と、
前記情報入力工程を通じて入力された前記情報を前記サービス情報提供装置に送信する送信工程と、
前記サービス情報提供装置から出力されたサービス情報を受信する受信工程と、
前記サービス情報を前記利用者へ提供する提供工程と
を有することを特徴とする健康運動支援方法。
【請求項１４】
携帯型音楽再生装置と、サービス情報提供装置とからなる健康運動支援システムの健康運動支援方法であって、
前記携帯型音楽再生装置においては、
再生すべき音楽を選曲して再生する音楽再生工程と、
再生される音楽に合わせて運動する使用者の運動に関する情報である運動情報を検出する検出工程と、
予め設定するようにされる前記運動目標設定条件と、前記検出工程で検出される運動情報の履歴と、前記音楽再生工程で再生された音楽の再生履歴とを記憶部に記録する記録工程と、
前記記憶部に記憶された前記運動目標設定条件と前記運動情報の履歴と前記音楽の再生履歴とのうち少なくとも１つの情報を前記サービス情報提供装置に送信する送信工程と、
前記サービス情報提供装置から出力されたサービス情報を受信する受信工程と、
前記サービス情報を前記利用者へ提供する提供工程と
を有し、
前記サービス情報提供装置においては、
前記携帯型音楽再生装置から送信されてくる前記運動目標設定条件と前記運動情報の履歴と前記音楽の再生履歴とのうち少なくとも１つの情報を受ける情報入力工程と、
前記情報入力工程を通じて受け付けた前記情報に基づき、前記携帯型音楽再生装置の利用者へのサービス情報を作成するサービス情報生成工程と、
前記サービス情報を前記携帯型音楽再生装置に対して出力するサービス情報出力工程と
を有することを特徴とする健康運動支援方法。
【発明の詳細な説明】
【技術分野】
【０００１】
この発明は、音楽などを聴取しながら運動を行うユーザを支援するためのシステム、装置、方法に関する。
【背景技術】
【０００２】
ウォーキングやジョギング等の運動を、その運動テンポに適した音楽テンポの音楽を聴取しながら行うことによって、運動のテンポ（運動のリズム）が音楽に同期して平準化され運動者の負担を軽減させることができるなどことが知られている。これを容易に利用できるようにするため、特許文献１には、歩行ピッチに合わせて再生する音楽のテンポをコントロールする技術が開示されている。
【０００３】
また、ある一定量の運動を無理なく行うことができるようにするために、特許文献２には、目標とするエクササイズメニューの進行に合わせて仮想体験ゲームを進行させることで、使用者が楽しみながらエクササイズを続けられるようにすることを目的とした技術が開示されている。
【０００４】
これら特許文献１、特許文献２に記載の技術は、従来、時間、距離、回数などといった目安を目標としてただ黙々とこなしていた運動を、ユーザの心理にも働きかけ、無理なく目的とする運動量に到達するまで行うことができるようにするために有効な技術である。
【０００５】
なお、上述した特許文献１、特許文献２は、以下の通りである。
【特許文献１】特開２００５−１５６６４１号公報
【特許文献２】特開２００３−０２４４６７号公報
【発明の開示】
【発明が解決しようとする課題】
【０００６】
しかしながら、健康の維持、促進のためには、日々行う運動を、数週間、数ヶ月あるいはそれ以上といった比較的に長期間に渡って継続して行うことが重要である。気が向いたときに、たまにしか運動をしないというのでは、運動をまったくしないよりはましという程度であり、健康の維持、促進には結び付きにくい。
【０００７】
このため、比較的に長期間に渡って日々の運動を継続できるようにするために、運動者に対して、運動に対する継続意欲を向上させるためのインセンティブを効果的に付与できるようにすることが望まれている。
【０００８】
以上のことにかんがみ、この発明は、使用者が行う運動に応じて、情報やサービスを提供できるようにし、使用者が運動を継続して行えるように支援できるようにすることを目的とする。
【課題を解決するための手段】
【０００９】
上記課題を解決するため、請求項１に記載の発明の健康運動支援システムは、
携帯型音楽再生装置と、サービス情報提供装置と、情報処理装置とからなる健康運動支援システムであって、
前記携帯型音楽再生装置は、
使用者が行った運動に関する情報である運動情報を検出する検出部と、
再生すべき音楽を選曲して再生する音楽再生部と、
予め設定するようにされた前記運動目標設定条件と、前記検出部で検出された運動情報の履歴と、前記音楽再生部で再生された音楽の再生履歴とを記憶する記憶部と、
前記記憶部に記憶された情報を出力する情報出力部と
を備え、
前記サービス情報提供装置は、
前記情報処理装置を介して提供される前記携帯型音楽再生装置の前記運動目標設定条件と前記運動情報の履歴と前記音楽の再生履歴とのうち少なくとも１つの情報を受ける情報入力部と、
前記情報入力部を通じて受け付けた前記情報に基づき、前記携帯型音楽再生装置の利用者へのサービス情報を作成するサービス情報生成部と、
前記サービス情報を出力するサービス情報出力部と
を備え、
前記情報処理装置は、
前記携帯型音楽再生装置から前記運動目標設定条件と前記運動情報の履歴と前記音楽の再生履歴とのうち少なくとも１つの情報を受ける情報入力部と、
前記情報入力部を通じて入力された前記情報を前記サービス情報提供装置に送信する送信部と、
前記サービス情報提供装置から出力されたサービス情報を受信する受信部と、
前記サービス情報を前記利用者へ提供する提供手段と
を備えることを特徴とする。
【００１０】
この請求項１に記載の発明の健康運動支援システムによれば、携帯型音楽再生装置においては、音楽再生部を通じて音楽が再生され、これを聴取しながら当該携帯型音楽再生装置の使用者（ユーザ）が運動を行うが、使用者が行う運動に関する情報である運動情報が検出部により検出される。そして、予め設定するようにされる運動目標設定条件と、検出された運動情報の履歴と、再生された音楽の再生履歴とが記憶部に記録され、これらが情報出力手段を通じて情報処理装置に対して出力される。
【００１１】
サービス情報提供装置は、例えばインターネットなどの高域ネットワーク上に設けられたサーバ装置であり、後述のように、情報処理装置を介して提供される携帯型音楽再生装置からの運動目標設定条件と、検出された運動情報の履歴と、再生された音楽の再生履歴との内の少なくとも１つの情報を受け付け、受け付けた情報に基づいてサービス情報生成部によりサービス情報を生成する。生成されたサービス情報は、サービス情報出力部を通じて情報処理装置に戻される。
【００１２】
情報処理装置は、例えば携帯型音楽再生装置の使用者の家庭などに設置されるパーソナルコンピュータなどの機器であり、情報入力部を通じて、携帯型音楽再生装置から出力される運動目標設定条件と、検出された運動情報の履歴と、再生された音楽の再生履歴と内の少なくとも１つを受け付け、受け付けた情報を、ネットワークを通じてサービス情報提供装置に送信し、これに応じてサービス情報提供装置において生成されて返信されてくるサービス情報を受信部を通じて受信し、これを提供手段を通じて利用者に提供する。
【００１３】
このように、携帯型音楽再生装置において収集される前記運動目標設定条件と、前記検出部で検出された運動情報の履歴と、前記音楽再生部で再生された音楽の再生履歴との内の少なくとも１つの情報が、情報処理装置を通じてサービス情報提供装置に提供され、これに応じて生成されるサービス情報がサービス情報提供装置から情報処理装置に提供され、情報処理装置を通じて携帯型音楽再生装置の使用者に提供される。
【００１４】
サービス情報提供装置で生成されるサービス情報は、携帯型音楽再生装置からの運動目標設定条件と、運動情報の履歴と、音楽の再生履歴との内の少なくとも１つに基づいて、特典を与えたり、目標を与えたり、有用な情報を与えたりすることにより、携帯型音楽再生装置の使用者に対して日々行う運動を継続して行うことができるようにするための動機付けを与えることができるようにされる。これにより、目的とする運動を比較的に長期間に渡って無理なく継続できるようにすることができるようにされる。
【発明の効果】
【００１５】
この発明によれば、健康増進のための運動を継続するインセンティブ付与することができ、目的とする運動を比較的に長期間に渡って無理なく継続できるようにすることができる。また、運動した使用者に適した有用なサービス情報を提供することができる。
【発明を実施するための最良の形態】
【００１６】
以下、図を参照しながらこの発明によるシステム、装置、方法の一実施の形態について説明する。
【００１７】
［健康運動支援システムの概要］
まず、この実施の形態の健康運動支援システムの概要について説明する。図１は、この実施の形態の健康運動支援システムの概要を説明するための図である。この実施の形態の健康運動支援システムは、この発明によるシステム、装置、方法が適用されて構成されたものである。図１に示すように、この実施の形態の健康運動支援システムは、携帯型音響再生装置（携帯型音楽再生装置）１と、情報処理装置２と、例えばインターネットなどの高域ネットワーク１００上に設けられる１つ以上のサービス情報提供装置３とからなっている。
【００１８】
携帯型音響再生装置（以下、単に音響再生装置という。）１は、小型化、軽量化がされた携帯型のものであり、衣服のポケットに入れて、あるいは、ズボンなどのベルトに装着して、あるいは、専用のホルダを用いて腕などに装着するなどして、持ち運びながら（携帯して）利用することができるものである。
【００１９】
したがって、音響再生装置１の使用者は、音響再生装置１で再生される音楽を、例えばヘッドホンやイヤホンなどを用いて聴取しながら、ウォーキング、ジョギング、ランニング、種々のエクササイズなどの運動を行うことができる。そして、後述もするが、音響再生装置１は、使用者がこれから行おうとする運動の目標運動量を運動目標設定条件として受け付けることができるものである。
【００２０】
また、音響再生装置１は、運動時の使用者の運動テンポ等の運動情報を検出し、これを蓄積したり、また、再生した音楽データの履歴情報を蓄積したりすることができるものである。そして、使用者の運動情報や再生した音楽データの履歴情報に基づいて、使用者の運動量を把握し、使用者の運動量が、上述したように受け付けた運動目標設定条件によって示される目標運動量に到達するまでの間において、音楽を再生することができるものである。
【００２１】
また、この実施の形態の音響再生装置１は、ＵＳＢ（Universal serial Bus）バスやＩＥＥＥ（Institute of Electrical and Electronics Engineers）１３９４バスなどのデジタルインターフェイス、ＩｒＤＡ（Infrared Data Association）規格の赤外線インターフェイス、Ｂｌｕｅｔｏｏｔｈなどの近距離無線通信インターフェイス、ＲＦ（Radio Frequency）信号を用いた無線通信インターフェイス、あるいは、アナログインターフェイスやメモリカードなどの記録媒体などを介して、情報処理装置２との間で相互に情報のやり取りを行うことができるものである。
【００２２】
そして、音響再生装置１は、情報処理装置２との間を上述したインターフェイスのいずれかが用いられて接続することができるようにされ、上述したように、自機に蓄積した運動情報の履歴、音楽データの再生履歴、予め受け付けるようにした目標運動量（運動目標設定条件）などの情報の１つ以上を情報処理装置２に対して提供することができるものである。
【００２３】
情報処理装置２は、音響再生装置１の使用者の自宅などに設置されて用いられるパーソナルコンピュータなどの機器であり、音響再生装置１の場合と同様に、ＵＳＢバスやＩＥＥＥ１３９４バスなどのデジタルインターフェイス、ＩｒＤＡ規格の赤外線インターフェイス、Ｂｌｕｅｔｏｏｔｈなどの近距離無線通信インターフェイス、ＲＦ信号を用いた無線通信インターフェイス、あるいは、アナログインターフェイスやメモリカードなどの記録媒体などのインターフェイスを備え、これらのインターフェイスを介して、音響再生装置１との間で相互にデータの受け渡し（送受）を行うことができるものである。
【００２４】
また、情報処理装置２は、通信機能を備え、例えば、インターネットなどの高域ネットワーク１００に接続して、当該高域ネットワーク上に設けられているサービス情報提供装置３に対して要求を送信して、これに応じた情報の提供を受けるなどのことができるものである。
【００２５】
サービス情報提供装置３は、図１にも示したように、例えば、音楽サーバ装置３（１）、運動支援サーバ装置３（２）、健康支援サーバ装置３（３）、ブログサーバ装置３（４）、…などのサーバ装置である。すなわち、この実施の形態において、サービス情報提供装置３は、高域ネットワーク１００上に設けられる種々のサーバ装置の総称である。
【００２６】
このように、高域ネットワーク１００上に設けられる種々のサービス情報提供装置３のそれぞれは、情報処理装置２からの要求に応じて、要求元の情報処理装置２に対して、要求された情報を提供したり、サービス情報を生成したりするなどのことができるものである。すなわち、サービス情報提供装置３は、有料あるいは無料で、種々のコンテンツデータを提供するコンテンツサーバ装置や、有料あるいは無料で種々の情報を提供する情報提供サーバ装置などである。
【００２７】
そして、この実施の形態の健康運動支援システムは、音響再生装置１のユーザが、当該音響再生装置１により再生される音楽を聴取しながら運動を行った場合に、音響再生装置１においてその運動量を把握するようにし、あるいは、運動量を把握するための例えば運動テンポなどの運動情報の履歴や音楽データの再生履歴などの情報を収集するようにし、これらの情報を情報処理装置２に提供する。
【００２８】
情報処理装置２は、音響再生装置１からの情報に基づいて、使用者の運動量を把握するようにし、この使用者の運動量を示す情報と音響再生装置１の使用者を特定することが可能な識別情報とを含み、所定のサービス情報の提供を要求するためのサービス提供要求を生成して、これを自機の通信機能を用いて、高域ネットワーク１００上に設けられている目的とするサービス情報提供装置３に送信する。
【００２９】
なお、サービス提供要求には、目的とする相手先であるサービス情報提供装置を特定するアドレス情報や、当該サービス提供要求の送信元である情報処理装置を特定するアドレス情報などの相互に通信を行うために必要な情報も含まれる。これら相手先や自機のアドレス情報は、この実施の形態においては、情報処理装置２の所定のメモリーなどの記憶部に予め記憶保持されている。
【００３０】
サービス情報提供装置３は、自機宛てのサービス提供要求を受信すると、これに含まれる例えば使用者の運動情報を抽出し、音響再生装置１の使用者の運動量やその累計を把握し、これらの情報に応じて提供可能なサービス情報を生成して、これを要求元の情報処理装置２に返信（送信）する。
【００３１】
情報処理装置２は、サービス情報提供装置３からのサービス情報を受信し、これを出力することにより、情報処理装置２の使用者であって、音響再生装置１の使用者に対して、サービス情報提供装置３から提供を受けたサービス情報を提供する。
【００３２】
そして、サービス情報提供装置３において生成されるサービス情報は、上述もしたように、音響再生装置１の使用者の運動量やその累計に応じて生成されるものであり、運動量が多くなるにしたがって、提供されるサービス情報が異なる場合もある。このため、新たなサービス情報の提供を受けるためには、音響再生装置１の使用者は、音響再生装置１によって再生される音楽を聴取しながら行う運動を継続して行う必要が生じ、音響再生装置１によって再生される音楽を聴取しながら行う運動を継続するように使用者を促すことができるようにされる。
【００３３】
すなわち、音響再生装置１によって再生される音楽を聴取しながら行う運動を継続して行うことにより、有用なサービス情報の提供を受けることができるということがインセンティブとなって、日々行う運動を比較的長期に渡って継続することができるように、音響再生装置１の使用者を促すことができるようにしている。
【００３４】
以下に、この実施の形態の健康運動支援システムを形成する各機器の構成例と動作とについて詳細に説明する。
【００３５】
［携帯型音響再生装置１について］
まず、この実施の形態の健康運動支援システムの音響再生装置１について詳細に説明する。図２は、この実施の形態の音響再生装置１を説明するためのブロック図である。この実施の形態の音響再生装置１は、上述もしたように、携帯型のものであり、小型化、軽量化が図られ、衣服のポケットなどに収納するなどして気軽に持ち運んで利用することができるものである。したがって、ウォーキング、ジョギング、ランニング、各種のエクササイズなどといった種々の運動をしながら音楽を再生して聴取する場合に用いて好適なものである。
【００３６】
図２に示すように、この実施の形態の音響再生装置１は、制御部１０、音楽情報記憶装置部２１、音楽再生データ生成装置部２２、運動情報解析回路２３、運動情報センサ２４、音声信号出力処理部３１、スピーカ３２、表示回路３３、表示部３４、キー操作部４１、マイクロホン（図２においてはマイクと記載。）４２、音声信号入力処理部４３、外部端子５１、Ｉ／Ｆ（インターフェイス）５２、記憶装置部５３を備えたものである。
【００３７】
制御部１０は、この音響再生装置１の各部を制御するものであり、ＣＰＵ（Central Processing Unit）１１、ＲＯＭ（Read Only Memory）１２、ＲＡＭ（Random Access Memory）１３が、ＣＰＵバス１４を通じて接続されて構成されたものである。ここで、ＣＰＵ１１は、プログラムを実行し、これに応じて生成される制御信号を各部に供給することによって各部を制御することができるものであり、制御の主体となるものである。ＲＯＭ１２は、ＣＰＵ１１によって実行される種々のプログラムや処理に必要となる種々のデータなどを記憶保持するものである。また、ＲＡＭ１３は、処理の途中結果を一時記憶するなど、主に作業領域（ワークエリア）として用いられるものである。
【００３８】
音楽情報記憶装置部２１は、記録媒体に記録されている音楽データを読み出したり、記録媒体に対して音楽データを書き込んだりする処理を行う装置部分である。記録媒体には、ハードディスク、ＭＤ（Mini Disc（登録商標））などの光磁気ディスク、ＣＤ（Compact Disc）やＤＶＤ（Digital Versatile Disc）などの光ディスク、半導体メモリー、半導体メモリーが用いられて形成されたＩＣカードメモリー、磁気テープなどの種々のものがあり、記録媒体が例えばハードディスクの場合には、音楽情報記憶装置部２１はハードディスクドライブに相当し、記録媒体が光ディスクの場合には、音楽情報記憶装置部２１は光ディスクドライブに相当する。
【００３９】
音楽再生データ生成装置部２２は、制御部１０からの制御に応じて、再生する音楽データ（楽曲データ）についての種々の処理を行うものである。具体的には後述もするが、音楽情報記憶装置部２１に記憶されている複数の音楽データの中から再生する音楽データを選択したり、再生する音楽データの再生順序を決定したりするなどの処理を行う部分である。
【００４０】
運動情報解析回路２３は、制御部１０等からの制御に応じて、使用者の運動に関する解析処理等を行う部分である。後述もするが、運動情報解析回路２３は、キー操作部４１を通じて入力される使用者の身長、体重、性別などの個人プロフィール情報と、再生された音楽データの再生時間やテンポなどの特性情報に基づいて、音楽データを再生することにより提供された音楽に合わせて使用者が所定の運動を行った場合に、運動量はどれ位かを算出する。
【００４１】
また、運動情報解析回路２３は、キー操作部４１を通じて目標とする運動量が入力された場合には、入力された運動量の運動を行う場合の運動の強度や運動時間（運動を継続して行うべき時間）などを算出する機能をも有する。また、運動情報解析回路２３は、運動情報センサ２４からの検出出力の供給を受けて、使用者の実運動量を算出することもできるものである。
【００４２】
なお、図２において、二重線のブロックで示した音楽再生データ生成装置部２２、運動情報解析回路２３の機能は、制御部１０において実行されるプログラムによっても実現することができる。すなわち、音楽再生データ生成装置部２２、運動情報解析回路２３の機能は、制御部１０が機能して実現することも可能である。
【００４３】
運動情報センサ２４は、加速度センサ、ショックセンサ、圧力センサ、帯電位センサ、歪みセンサ、測距センサ、電流センサ、温度センサなどの種々のセンサの内の１つ以上を用いて、使用者が運動を行っている場合にこれを検出したり、あるいは、使用者の体温の変化や脈拍の変化などを検出したりするなどのことができるものである。これらの検出出力が、上述もしたように、運動情報解析回路２３に供給され、実運動量の算出などに用いられることになる。
【００４４】
この実施の形態において、運動情報センサ２４は、例えば、３軸の加速度センサが用いられ、この加速度センサからの検出出力を解析することにより、ウォーキングやジョギング等の動作テンポ（動作のテンポ）を検出することができるようにされている。また、運動情報センサ２４として用いられる加速度センサからの検出出力を解析することにより、使用者が行っている運動がウォーキングなのかジョギングなのかのように、行われている運動の種別についても検出することができるようにしている。
【００４５】
音声信号出力処理部３１は、この実施の形態の音響再生装置１においては、制御部１０を通じて供給される再生対象の音声データ（デジタルデータ）の供給を受けて、これをＤ／Ａ（Digital/Analog）変換するなどして出力用のアナログ音声信号を形成するものである。音声信号出力処理部３１からのアナログ音声信号は、スピーカ３２に供給され、スピーカ３２からは、これに供給されたアナログ音声信号に応じた音声が放音するようにされる。
【００４６】
なお、図示しないが、音声信号出力処理部３１には、音声出力端子が接続するようにされており、これにヘッドホンやイヤホンが接続された場合には、音声信号出力処理部３１からのアナログ音声信号が当該音声信号出力端子を通じて、これに接続されたヘッドホンやイヤホンに供給され、ヘッドホンやイヤホンを通じて再生音声を聴取することもできるようにされる。このように、音声出力端子にヘッドホンやイヤホンが接続されている場合には、スピーカ３２からは再生音声は放音しないようにされる。
【００４７】
表示回路３３は、制御部１０からの制御に応じて、表示部３４の表示画面に表示する画像を形成するものである。この場合、表示部３４は、例えば、ＬＣＤ（Liquid Crystal Display）、ＥＬ（Electro Luminescence）パネルなどの表示素子が用いられたものであり、比較的に大きな表示画面を備え、種々の情報を表示することができるものである。この表示部３４の表示画面には、制御部１０の制御に応じて、操作ガイダンス、エラーメッセージ、再生音楽のタイトル、その他の種々の文字情報や画像情報等が表示するようにされる。
【００４８】
キー操作部４１は、複数の操作キーやファンクションキーを備え、音楽再生の開始や終了、再生する音楽の選択、個人プロフィール情報、目標運動量など、この音響再生装置１に対して与えるべき指示や情報等の入力を受け付ける部分である。また、マイクロホン４２は、音声を収音して、これを電気信号に変換して取り込むものである。マイクロホン４２によって収音された音声に応じたアナログ音声信号は、音声信号入力処理部４３に供給され、ここでＡ／Ｄ（Analog/Digital）変換などが施され、制御部１０を通じて音楽情報記憶装置部２１の記録媒体に記録するなどのことができるようにされる。
【００４９】
外部端子（外部入出力端子）５１は、外部機器との接続端子であり、例えば、他の音響再生装置から音声データの供給を受けて、これを取り込むようにしたり、逆に、この実施の形態の音響再生装置１から他の外部機器に音楽データを供給したりすることができるようにしている。また、音楽データの他、プログラムや種々のデータの入出力も可能である。また、この実施の形態の音響再生装置１の外部端子５１は、後述する情報処理装置２との接続端としての機能をも実現するものである。
【００５０】
なお、Ｉ／Ｆ５２は、外部端子を通じて供給を受けたデータをこの実施の形態の音響再生装置１に取り込んで、これを処理することができる形式のデータに変換したり、逆に、他の機器に出力すべきデータから出力可能な形式のデータに変換したりするなどの処理を行うものである。
【００５１】
記憶装置部５３は、後述もするが、保存しておくべきデータ、例えば、再生された音声データの識別情報、その音声データの特性情報、使用者の個人プロフィール情報、算出される運動量情報等の種々の情報を記憶保持することができるものである。また、この記憶装置部５３に音楽データを記憶させるようにするなどのことももちろん可能である。
【００５２】
なお、記憶装置部５３は、上述した音楽情報記憶装置部２１と同様に、記録媒体に記録されている種々のデータを読み出したり、記録媒体に対して種々のデータを書き込んだりする処理を行う装置部分である。記録媒体には、ハードディスク、ＭＤ（Mini Disc（登録商標））などの光磁気ディスク、ＣＤ（Compact Disc）やＤＶＤ（Digital Versatile Disc）などの光ディスク、半導体メモリー、半導体メモリーが用いられて形成されたＩＣカードメモリー、磁気テープなどの種々のものがあり、記録媒体が例えばハードディスクの場合には、記憶装置部５３はハードディスクドライバに相当し、記録媒体が光ディスクの場合には、記憶装置部５３は光ディスクドライバに相当する。
【００５３】
そして、キー操作部４１を通じて受け付ける使用者からの指示入力に応じて、制御部１０は各部を制御し、外部端子５１及びＩ／Ｆ５１を通じて供給を受ける音楽データやその音楽データの総再生時間、テンポ、ジャンル、曲調などの音楽データの特性情報を制御部１０を通じて音楽情報記憶装置部２１の記録媒体に記録することができるようにされている。
【００５４】
そして、通常は、音楽情報記憶装置部２１に音楽データとして記憶保持されている音楽（楽曲）の一覧表が、制御部１０によって形成され、これが表示回路３３を通じて表示部３４の表示画面に表示され、その表示された音楽の一覧表示の中から、キー操作部４１を通じて再生する音楽データを選択することにより、その音楽データを再生することができるようにされる。
【００５５】
この場合、制御部１０は、キー操作部４１を通じて受け付けた音楽データの選択情報を含む再生指示に応じて、音楽情報記憶装置部２１から目的とする音楽データを読み出し、これを音声信号出力処理部３１に供給する。このように、音声信号出力処理部３１に音声データが供給されると、上述もしたように出力用のアナログ音声信号が形成され、スピーカ３２、あるいは、図示しない外部出力端子に接続されたヘッドホンやイヤホンを通じて目的とする音楽データを再生して、これにより放音される音楽を聴取することができるようにしている。
【００５６】
また、この実施の形態の音響再生装置１においては、キー操作部４１を通じて、使用者の体重、身長、性別、年齢などの個人プロフィール情報を入力することができるようにしている。また、キー操作部４１を通じて、これから行おうとする運動の目標運動量（運動目標設定条件）を入力することができるようにしている。
【００５７】
そして、個人プロフィール情報が入力された場合であって、音楽データが再生された場合には、個人プロフィール情報と再生された音楽データの再生時間、テンポなどの特性情報とに基づいて、当該音楽データに応じた音楽に呼応してウォーキングやジョギングなどの所定の運動を行った場合の運動量が運動情報解析回路２３で算出される。
【００５８】
そして、使用者が行った運動の運動量が、入力された目標運動量に到達するまでの間において、制御部１０は各部を制御し、音楽データを選曲して再生する処理を継続することによって、この実施の形態の音響再生装置１の使用者が、目標とする運動量に到達するまで運動を継続することを支援することができるようにしている。
【００５９】
さらに、この実施の形態の音響再生装置１は、音楽データの再生終了時などにおいて、運動情報解析回路２３において算出された運動量情報を、表示回路３３を通じて、表示部３４に表示し、使用者に提供できるようにしている。このように、使用者が行った運動の量を簡単かつ正確に算出し、これを使用者に提示できるようにすることによって、音楽を聴きながらどのくらい運動すると、どのくらいの運動量になり、どれくらい運動すべきかなど、運動を継続して行う動機付けを示すことができるようにしている。
【００６０】
また、この実施の形態の音響再生装置１の場合には、運動情報センサ２４を備えており、この運動情報センサ２４を通じて使用者が運動したことを検出した場合には、その検出出力が運動情報解析回路２３に供給され、使用者の実運動量を算出することもできる。この実運動量についても、表示部３４の表示画面に表示して、使用者に提供することができる。
【００６１】
また、運動を行った場合に、入力された個人プロフィール情報や目標運動量、運動時において運動情報センサ２４を通じて検出するようにした使用者の運動テンポ等の運動情報の履歴、再生した音楽データの曲名などの識別情報、再生時間、再生回数、再生テンポ等の再生履歴などを記憶装置部５３に記憶保持することができるようにしている。
【００６２】
このように記憶保持するようにした履歴情報は、情報処理装置２を介して、高域ネットワーク１００上の目的とするサービス情報提供装置３に送信し、運動量の累計に応じて、サービス情報提供装置３を通じてサービス情報の提供を受けることができるなどの特典を与えることによって、日々行う運動を、１週間、２週間、１ヶ月、２ヶ月と比較的に長期間にわたって継続できるようにインセンティブを与え、当該運動の継続の支援および運動量の管理をも行うことができるようにしている。
【００６３】
［音響再生装置１の外観について］
次に、この実施の形態の音響再生装置１が取り得る代表的な外観の例について説明する。図３は、この実施の形態の音響再生装置１が取り得る代表的な外観の例を説明するための図である。この実施の形態の音響再生装置１が取り得る外観の大きさは、使用者の胸ポケットに入る程度以下の大きさであり、使用者の手のひらに納まる程度以下の大きさとなる。
【００６４】
したがって、この実施の形態の音響再生装置１の大きさは、大きくても図３Ａ、Ｂに示すように、使用者の胸ポケットに入る程度の大きさとなり、小さい場合には、図３Ｃに示すように、板状に形成されたチューイングガムを複数枚重ねた程度、あるいは、それよりやや大きい程度の大きさとなる。もちろん、技術の進歩により、更なる小型化や薄型化、軽量化の可能性もある。
【００６５】
そして、図３Ａ、Ｂのそれぞれは、使用者の胸ポケットに入る程度の大きさに構成した場合のこの実施の形態の音響再生装置１の外観を示しており、図３Ａに示すように音響再生装置１の長手方向を使用者に対して上下方向として使用する縦型のものと、図３Ｂに示すように音響再生装置１の長手方向を使用者に対して左右方向として使用する横型のものとが考えられる。
【００６６】
そして、図３Ａ、Ｂに示すように、使用者と対向することとなる音響再生装置１の面（前面）には、ＬＣＤなどの表示部の表示画面とキー操作部が設けられる。図３Ａに示すように、縦型の音響再生装置１の場合には、表示画面３４Ｇの下側部分にキー操作部４１が設けられる。もちろん、表示画面３４Ｇとキー操作部４１との位置関係を図３Ａの場合とは逆にすることもできる。また、縦型の音響再生装置１の場合には、表示画面３４Ｇを音響再生装置１の前面の中央部分に配置し、その上側部分と下側部分との２つの部分にキー操作部４１を分けて設けるようにすることも可能である。
【００６７】
また、図３Ｂに示すように、横型の音響再生装置１の場合には、表示画面３４Ｇの横側部分にキー操作部４１が設けられる。もちろん、表示画面３４Ｇとキー操作部４１との位置を逆にすることも可能である。すなわち、表示画面３４Ｇとキー操作部４１とのうち、いずれかを右側に配置すれば、他方は左側に配置することになる。また、横型の音響再生装置１の場合においても、表示画面３４Ｇを音響再生装置１の前面の中央部分に配置し、その右側部分と左側部分との２つの部分にキー操作部４１を分けて設けるようにすることも可能である。
【００６８】
また、キー操作部４１としては、図３Ａに示すように、押下操作が可能ないわゆる「ボタンキー」のみで構成したり、図３Ｂに示すように、ダイヤル部４１Ｄを有し、ダイヤル部４１Ｄ上を指などでなぞる操作と、ダイヤル部４１Ｄ上の所定の位置の押下操作とが可能なダイヤルとで構成したりすることが可能である。なお、ダイヤル部４１Ｄは、ダイヤル部４１Ｄ自体を機械的に回動操作が可能なものとすることも可能である。
【００６９】
また、図３Ｃのように極めて小型に構成した場合には、図３Ａ、Ｂのように音響再生装置１の前面にキー操作部４１を設けることができないので、図３Ｃに示すように、音響再生装置１の側面部分に回動操作が可能なダイヤルをキー操作部４１として設けるようにすれば良い。
【００７０】
また、キー操作部４１としては、回動操作と押下操作とが可能ないわゆるジョグダイヤルやいわゆるジョイスティックなどと呼ばれる操作レバーなどを用いるようにしてもよい。また、音響再生装置１が図３Ａ、Ｂに示したように、表示部の表示画面３４Ｇが比較的に大きな表示領域を有するものである場合には、その表示画面３４Ｇにタッチパネルを貼付し、表示画面３４Ｇに表示される情報とタッチパネルとによってキー操作部４１を構成するようにしてもよい。
【００７１】
そして、図３を用いて説明した種々のキー操作部を設けることにより、使用者の名前などの文字や各種の数字、記号などの入力や、カーソルの移動、項目の選択など種々の情報の入力が可能となる。例えば、文字入力の場合には、各ボタンキーに文字を割り当てておいておくことにより、少ない数のボタンキーによって文字入力を行うことが可能である。また、ダイヤルキーを用いる場合には、ダイヤル部をなぞる操作やダイヤル部を回動操作することにより、文字の選択を可能にし、所定のボタンキーの押下操作、あるいは、ダイヤル部の押下操作を決定操作とすることにより、文字の入力が可能となる。
【００７２】
なお、図３に示したものは、外観や操作部の構成例を示したものである。したがって、音響再生装置１は図３に示したものの他にも種々の大きさや形状のものが考えられる。また、キー操作部についても、図３に示したものに限るものではない。例えば、図３Ａ、Ｂに示した例の場合には、さらに側面部分にダイヤルやジョグダイヤル、あるいは、ボタンキー等を設けることもできる。すなわち、キー操作部としては、ボタンキー、ダイヤル、ジョグダイヤル、タッチパネル、ジョイスティック、スライド式の操作スイッチなどの種々の操作部を組み合わせて構成することができる。
【００７３】
［音響再生装置１の動作（音響再生方法）について］
次に、この実施の形態の音響再生装置１の動作について、図４、図５のフローチャートを参照しながら説明する。なお、必要に応じて、図６（個人プロフィール取得例を説明するための図）、図７、図８（目標運動量取得例を説明するための図）、図９（再生可能な楽曲の一覧リストである楽曲情報リストの一例を説明するための図）、図１０（プレイリストの生成例を説明するための図）、図１１（再生中表示の例を説明するための図）、図１２（運動量情報の表示例を説明するための図）、図１３（記憶保持する履歴情報の一例を説明するための図）をも参照しながら、この実施の形態の音響再生装置１の動作について説明する。
【００７４】
図４、図５は、この実施の形態の音響再生装置１において、運動を行う使用者が聴取する音楽データを再生する場合の動作を説明するためのフローチャートである。この実施の形態の音響再生装置１を通じて音楽データを再生することにより提供される音楽を聴取しながら、ウォーキングやジョギング等の運動を行うとする当該音響再生装置１の使用者が、当該音響再生装置１に電源を投入すると、この実施の形態の音響再生装置１の制御部１０は、図４、図５に示す処理を実行し、使用者からの個人プロフィール情報の入力を受け付けて、これを取得する（ステップＳ１０１）。
【００７５】
このステップＳ１０１においては、例えば、図６Ａに示すような個人プロフィール情報の入力画面を表示し、キー操作部４１を通じて使用者からの入力を受け付ける。この例の場合、図６Ａに示したように、使用者の、名前、性別、年齢、身長、体重等の使用者の運動量を算出するために必要になる個人プロフィール情報の入力を受け付ける。
【００７６】
そして、制御部１０は、個人プロフィール情報の入力を受け付けると、例えば、図６Ｂに示すように、使用者の名前、性別、年齢、身長、体重、及び、受け付けた身長と体重から算出されるＢＭＩ（Body Mass Index：体重（キロ）÷身長（メートル）の２乗で求められる体容積指数）や肥満度からなる確認画面を表示部３４の画面３４Ｇに表示して、確認入力を求め、正しくない場合には図６Ａに示した入力画面に戻って、修正入力を行うこともできるようにしている。なお、図４においては、このような個人プロフィール情報の修正処理をも含めて、ステップＳ１０１の処理として示している。
【００７７】
次に、制御部１０は、使用者からの目標運動量の入力を受け付けて、これを取得する（ステップＳ１０２）。このステップＳ１０２においては、例えば、図７Ａに示すような目標運動量の入力画面を表示し、キー操作部４１を通じて使用者からの入力を受け付ける。この例の場合、図７Ａに示したように、使用者が行うおうとする運動の１回あたりの目標運動時間（ウォーキングやジョギング等の運動をどれ位の時間継続して行うか）と、目標消費カロリー（消費したいカロリー）との入力を受け付ける。
【００７８】
そして、制御部１０は、目標運動量の入力を受け付けると、例えば、図７Ｂに示すように、受け付けた目標運動時間と目標消費カロリーとからなる確認画面を表示部３４の画面３４Ｇに表示して、確認入力を求め、正しくない場合には図７Ａに示した入力画面に戻って、修正入力を行うこともできるようにしている。
【００７９】
なお、目標運動量の入力は、図７を用いて説明した画面を通じて行うものに限るものではない。例えば、図８Ａに示すように、これから行おうとする運動種別と、その運動時間とを１つ以上入力するようにしてもよい。すなわち、運動種別としては、ウォーキング、ジョギング、ランニングなどのこれから行うとする運動を指定する情報を入力し、その運動の運動時間を入力する。そして、追加か終了かを選択する。
【００８０】
追加が指示された場合には、制御部１０は、さらに運動種別と運動時間との入力を受け付けることができるようにされる。このようにすることにより、例えば、ウォーミングアップのために最初にジョギングを５分間行い、次にランニングを２０分間行い、次にクールダウンのためにジョギングを５分間行うというように、これから行おうとする運動の種別と運動時間とを細かく指示することができる。
【００８１】
そして、図８Ａに示した入力画面において、終了が選択された場合には、制御部１０は、図８Ｂに示すように、図８Ａに示した入力画面を通じて受け付けた全ての運動種別と運動時間とを順次に表示して確認できるようにした確認画面を表示部３４の表示画面３４Ｇに表示し、確認入力を求め、正しくない場合には図８Ａに示した入力画面に戻って、修正入力を行うこともできるようにしている。
【００８２】
このように、目標運動量については種々の入力態様を用意することが可能であり、例えば、ステップＳ１０２の処理において、図７に示したように、目標運動時間と目標消費カロリーを入力するのか、図８に示したように、運動種別と運動時間とを入力するのかを選択できるようにしてもよい。
【００８３】
すなわち、図４に示したステップＳ１０２の処理においては、どのような形態で目標運動量を入力するかの選択や、目標運動量の入力処理および修正処理をも含めて、一連の目標運動量の取得処理（受付処理）を行うことができるようにしている。
【００８４】
次に、制御部１０は、表示回路３３を制御して表示部３４の表示画面に、いわゆるプレイリストを使用するか否かの選択入力を行うように使用者を促すガイダンス情報を表示し、キー操作部４１を通じて、プレイリストを使用して音楽データを再生するか、プレイリストを用いずに音楽データを再生するかの選択入力を受け付ける（ステップＳ１０３）。
【００８５】
すなわち、この実施の形態の音響再生装置１は、使用者の指示に応じた条件で、再生する音楽データの一覧リストであるいわゆるプレイリストを生成し、これに基づいて音楽データを再生したり、また、プレイリストを用いずに音楽データを再生したりすることができるものである。
【００８６】
このため、ステップＳ１０３において、プレイリストを使用するか否かの選択入力を受け付け、この後に、制御部１０は、プレイリストを使用することが選択されたか否かを判断する（ステップＳ１０４）。ステップＳ１０４の判断処理において、プレイリストを使用することが選択されたと判断したときには、制御部１０は、表示回路３３を制御して表示部３４の表示画面に、プレイリストの作成条件の入力を行うように使用者を促すガイダンス情報を表示し、キー操作部４１を通じて、プレイリストの作成条件の入力を受け付ける（ステップＳ１０５）。
【００８７】
このステップＳ１０５においては、後述もするが、プレイリストを作成するための条件、具体的には、同程度の曲テンポの音楽データ、同じアーティストの音楽データ、同じジャンルの音楽データなどというように、プレイリストの作成条件の入力を受け付ける。そして、制御部１０は、プレイリストの作成条件の入力が終了したことの確認入力がされたか否かを判断する（ステップＳ１０６）。
【００８８】
ステップＳ１０６の判断処理において、確認入力がされていないと判断したときには、制御部１０は、ステップＳ１０５からの処理を繰り返し、プレイリストの作成条件の入力を受け付けるようにする。ステップＳ１０６の判断処理において、確認入力がされたと判断したときには、制御部１０は、ステップＳ１０５において受け付けたプレイリストの作成条件に基づいて、自機において再生可能な音楽データの中から作成条件に合致した音楽データを選び出し、プレイリストを作成する（ステップＳ１０７）。
【００８９】
この実施の形態の音響再生装置１の音楽情報記憶装置部２１の記録媒体には、当該音響再生装置１で再生可能な音楽データが多数記憶保持されていると共に、例えば、図９に示すように、再生可能な音楽データを管理するための一覧リスト（楽曲情報リスト）が形成されて記憶保持されている。
【００９０】
図９に示したように、この実施の形態の音響再生装置１の楽曲情報リストは、音楽情報記憶装置部２１の記憶媒体に記憶保持されており、再生可能な音楽データのそれぞれ毎に、曲名、曲テンポ、長さ（演奏時間）、ジャンル、演者（アーティスト）等の情報からなるものであり、プレイリスト作成の元情報となると共に、この楽曲情報リストに基づいて、再生可能な音楽データの一覧表示を表示回路３３を介して表示部３４の表示画面３４に行って、再生する音楽データの選択を受け付けるための元情報にもなるものである。
【００９１】
そして、ステップＳ１０７において、制御部１０は、図９に示した楽曲情報リストから、ステップＳ１０５において受け付けたプレイリストの作成条件に従って音楽データを選び出し、プレイリストを作成する。例えば、「曲テンポが８１±１ＢＰＭの音楽データ」という作成条件が入力された場合には、図１０Ａに示すように、図９に示した楽曲情報リストの中から曲テンポが８０、８１、８２の何れかである音楽データを選び出し、これらからなるプレイリストを作成する。また、「ジャンルがＰＯＰの音楽データ」という作成条件が入力された場合には、図１０Ｂに示すように、図９に示した楽曲情報リストの中からジャンルがＰＯＰの音楽データを選び出し、これらからなるプレイリストを作成する。
【００９２】
そして、プレイリストを作成した後においては、制御部１０は、表示回路３３を制御して表示部３４の表示画面に、選曲、再生方法の選択入力を行うように使用者を促すガイダンス情報を表示し、キー操作部４１を通じて、選曲、再生方法の選択入力を受け付ける（ステップＳ１０８）。
【００９３】
このステップＳ１０８の処理は、順番に再生するのか、シャッフルしてランダムに再生するのかの指示や、作成されたプレイリストに登録された音楽データ毎の再生回数や、プレイリストに登録された音楽データの中からさらに再生する音楽データの指示（逆に再生しない音楽データの指示）を受け付ける。このステップＳ１０８の処理の後に、図５に示すステップＳ１１０の処理に進む。
【００９４】
また、ステップＳ１０４の判断処理において、プレイリストを使用しないことが選択されたと判断したときには、制御部１０は、楽曲情報リストに登録されている音楽データを順番に再生するのか、シャッフルしてランダムに再生するのかの指示や、再生する楽曲の選択指示など、プレイリストを用いない場合の再生する音楽データを特定し、その再生方法を指定する種々の指示の入力を受け付ける（ステップＳ１０９）。このステップＳ１０９の処理の後に、図５に示すステップＳ１１０の処理に進む。
【００９５】
そして、この実施の形態の音響再生装置１の制御部１０は、プレイリストを使用することが指示されている場合には、ステップＳ１０７において作成したプレイリストとステップＳ１０８において受け付けた使用者からの指示に応じて、また、プレイリストを使用しないことが指示されている場合においては、ステップＳ１０９において受け付けた使用者からの指示に応じて、再生する音楽データを選択し、これを再生する処理を開始する（ステップＳ１１０）。
【００９６】
また、ステップＳ１１０の処理においては、例えば、図１１に示すように、再生中の音楽データの曲名、アーティスト名（演者）、ジャンル、テンポ等の再生中の音楽データについての情報を表示部３４の表示画面３４Ｇに表示し、使用者に通知することができるようにしている。なお、再生中の音楽データについての情報は、図９を用いて説明した楽曲情報リストの情報が用いられる。
【００９７】
なお、運動の種類や運動の強度は、例えば後述するステップＳ１１２の処理などにおいて算出されるものである。このため、この実施の形態の音響再生装置１において、ステップＳ１１０の処理においては、運動の種類や運動の強度はまだ表示しないようにされる。
【００９８】
この後、この実施の形態の音響再生装置１の制御部１０は、後述するように、ステップＳ１１３の判断処理において、使用者の運動量が目標運動量に到達したと判断されるまでの間においては、使用者からの指示に応じて、音楽データの順次の選択と再生とを継続させる（ステップＳ１１１）。
【００９９】
すなわち、ステップＳ１１１の処理においては、ステップＳ１１０からの処理の継続処理であり、音楽データの再生処理を継続して行い、１曲分の音楽データの再生が終了した場合であって、プレイリストを使用することが指示されている場合には、ステップＳ１０７において作成したプレイリストとステップＳ１０８において受け付けた使用者からの指示に応じて、また、プレイリストを使用しないことが指示されている場合においては、ステップＳ１０９において受け付けた使用者からの指示に応じて、再生する音楽データを選択し、これを再生する処理を継続して行う。
【０１００】
そして、この実施の形態の音響再生装置１の制御部１０は、運動情報センサ２４を通じて検出される使用者の運動情報を運動情報解析回路２３において解析することにより得られる情報や、再生された音楽データの曲テンポ（再生テンポ）や演奏時間等をも考慮して、それまでの使用者の運動量（運動を開始してからの運動量の累積値）を算出する（ステップＳ１１２）。
【０１０１】
具体的には、上述もしたように、この実施の形態の音響再生装置１が備える運動情報センサ２４は、３軸の加速度センサによって構成されるものである。そこで、運動情報解析回路２３は、運動情報センサ２４からの検出出力（検出波形）のピーク値の周期を検出したり、検出出力の自己相関を算出してその周期性を検出したり、あるいは、周波数スペクトラム解析を行って、その周期性を検出したりすることによって、使用者の動作テンポを検出することができる。もちろん、この他の方式を用いて、使用者の動作テンポを検出するようにしてもよい。
【０１０２】
このようにして検出した動作テンポや音楽データの再生時間を考慮することによって、詳しくは後述するが、走行距離（運動距離）や消費エネルギーなどの使用者の運動量を算出することができる。なお、ここで算出する使用者の運動量は、上述もしたように、運動を開始してからの運動量の累積値であるので、前回までの運動量の累計を記憶保持しておき、ステップＳ１１２の処理においては、例えば、５秒おき、１０秒おきなどというように、所定の時間間隔ごとに運動量を算出し、これを記憶保持している運動量の累計に加算することによって、最新の運動量の累計を算出するようにすればよい。
【０１０３】
なお、図９を用いて説明したように、楽曲情報リストは曲テンポを示す情報をも備えており、使用者の実運動テンポを検出することなく、再生された音楽データの曲テンポを使用者の運動テンポとみなして、これを用いることによって使用者の運動量を算出するようにすることもできる。
【０１０４】
また、この実施の形態においては、運動情報センサ２４として３軸の加速度センサを用いているので、ステップＳ１１２の処理において、その鉛直方向の加速度成分の大きさに基づいて、使用者が行っている運動が、例えば、ウォーキングなのか、ジョギングなのかなどの運動の種類を判別するようにしている。すなわち、詳しくは後述もするが、ウォーキングとジョギングとでは衝撃の大きさが２倍から３倍ほどジョギングの方が大きいことが知られている。このことを利用し、加速度センサからの検出出力の鉛直方向の振幅の大きさによって、使用者が行っている運動が、少なくともウォーキングなのかジョギングなのかを判別するようにしている。
【０１０５】
さらに、この実施の形態の音響再生装置１においては、ステップＳ１１２の処理において、算出した動作テンポと運動の種類とに基づいて、使用者が行っている運動の強度を示す情報として、ＭＥＴＳ（Metabolic Equivalents）値を求めるようにしている。このＭＥＴＳ値の算出については、詳しくは後述するが、水平移動要素と垂直移動要素とにより求められる運動時酸素摂取量を、予め求められる安静時の酸素消費量で割り算して求められる値であり、このＭＥＴＳ値を用いて使用者の消費エネルギーを算出することもできるものである。
【０１０６】
そして、この実施の形態の音響再生装置１の制御部１０は、ステップＳ１１２において算出した使用者の運動量が、ステップＳ１０２において受け付けた目標運動量に到達したか否かを判断する（ステップＳ１１３）。ステップＳ１１３の判断処理において、算出した使用者の運動量が目標運動量に到達していないと判断したときには、ステップＳ１１１からの処理を繰り返すようにする。
【０１０７】
ステップＳ１１３の判断処理において、算出した使用者の運動量が目標運動量に到達したと判断したときには、この実施の形態の音響再生装置１の制御部１０は、音楽情報記憶装置部２１、音楽再生データ生成装置部２２、音声信号出力処理部３１などの音声信号の再生系の各部を制御し、音楽データの再生処理を終了させる（ステップＳ１１４）。
【０１０８】
次に、音響再生装置１の制御部１０は、運動情報の履歴や再生楽曲情報の履歴などからなる運動実施履歴や運動目標設定履歴を例えば記憶装置部５３の記録媒体に保存する（ステップＳ１１５）。図１３は、ステップＳ１１５において、音響再生装置１の記憶装置部５３の記録媒体に記憶保持するようにする履歴情報の一例を説明するための図である。
【０１０９】
図１３Ａは、運動目標設定履歴の一例であり、図４に示したステップＳ１０２において受け付けた使用者からの目標運動量に基づいて形成される履歴情報であり、例えば、図７を用いて説明したように、目標運動量として運動時間と消費カロリーとを入力した場合には、図１３Ａの下段に示したように、何回目の運動目標設定条件（目標運動量）であるかを示す情報、設定日時を示す情報（図１３Ａにおいては、ＹＹ（年）ＭＭ（月）ＤＤ（日）ＨＨ（時）ＭＭ（分）で示した情報）、運動時間（図１３Ａにおいては２５分と示した情報）、消費カロリー（図１３Ａにおいては７７０ｃａｌと示した情報）が運動目標設定履歴として記憶装置部５３の記録媒体に記録される。
【０１１０】
また、図８を用いて説明したように、行おうとする運動種別と運動時間とを入力した場合には、図１３Ａの上段に示したように、何回目の運動目標設定条件（目標運動量）であるかを示す情報と、設定日時を示す情報（図１３Ａにおいては、ＹＹ（年）ＭＭ（月）ＤＤ（日）ＨＨ（時）ＭＭ（分）で示した情報）、ジョギング５分＋ランニング２０分＋ジョギング５分というように、運動種別とその目標実行時間とからなる情報が運動目標設定履歴として記憶装置部５３の記録媒体に記録される。
【０１１１】
図１３Ｂは、運動実施履歴の一例であり、図１３Ｂに示すように、再生された音楽データと、使用者が行った運動についての情報（運動情報）からなるものである。すなわち、曲名、テンポ（曲テンポ）、演奏時間からなる部分が再生された音楽データについての情報（再生楽曲情報）であり、走行タイプ（設定条件）、運動テンポ（平均）、走行タイプ（検出判定）、歩数（計算値）からなる部分が、使用者が行った運動についての情報（運動情報）である。
【０１１２】
そして、運動実施履歴は、図１３Ｂにおいて、履歴第１回、履歴第２回、…というように、図４、図５に示す処理が行われるごとに、別個に管理することが可能な態様で記憶保持するようにされる。履歴第１回、履歴第２回、…というように、別個に管理することができるようにされる運動実施履歴のそれぞれには、作成日時などの情報も自動的に付加されて、そのそれぞれを区別することができるようにされる。
【０１１３】
なお、作成日時は、図示しないが、例えばカレンダ機能を備えた時計回路が制御部１０に接続するようにされており、制御部１０が、その時計回路から現在年月日、現在時刻、現在曜日を取得して、生成した運動実施履歴に付加することができるようにしている。
【０１１４】
そして、再生楽曲情報は、図９に示した楽曲情報リストから取得できる情報である。また、運動情報の内、走行タイプ（設定条件）は、ステップＳ１０２において受け付けた目標運動量に応じて値であり、運動テンポ（平均）は、運動情報センサ２４、運動情報解析回路２３を通じて検出した当該音楽データ再生時における運動テンポの平均値である。
【０１１５】
また、運動情報の内、走行タイプ（検出判定）は、上述もしたように、運動情報センサ２４を通じて検出される使用者の鉛直方向の加速度成分の大きさに基づいて検出し判定するようにしたものであり、使用が行っている運動がウォーキングなのかジョギングなのかを自動判別することによりえられる情報である。また、歩数（計算値）は、演奏時間と運動テンポ（平均）とを乗算することにより得られるものである。
【０１１６】
したがって、図１３Ｂに示した運動実施履歴の履歴第１回は、まず、（１）曲テンポが８２の曲Ａを３分再生し、歩行（ウォーキング）を行うことが設定されているが、実際には、運動テンポが８２で歩行（ウォーキング）を２４６歩行っている。次に、（２）曲テンポが８１の曲Ｃを５分５２秒再生し、ジョギングを行うことが設定されているが、実際には、運動テンポは８２でジョギングを４８１歩行っている。次に、（３）曲テンポが１２０の曲Ｂを８分再生し、ランニングを行うことが設定されているが、実際には、運動テンポが１１７でランニングを９３６歩行っている。というように、再生された音楽データ毎に、その音楽データの再生時において使用者が行った運動に関する情報が記憶保持するようにされたものである。
【０１１７】
そして、演奏時間に基づいて、使用者が行った運動時間を把握することができるし、また、運動時間、走行タイプ、歩数などに基づいて消費カロリーなどの運動量を算出して把握することもできるようにしている。
【０１１８】
なお、ここでは、図１３Ｂに示したように、再生楽曲情報や運動情報は、再生された音楽データごとに取るようにしたが、これに限るものではない。例えば、実際に使用者が行うようにした運動の種類（走行タイプ）別に、再生楽曲情報や運動情報を取得して運動実施履歴を形成するようにしてもよいし、あるいは、３０秒ごと、１分ごと、２分ごと、３分ごと、…などのように、予め決められた時間ごとに、再生楽曲情報や運動情報を取得して、運動実施履歴を形成するようにしてもよい。しかし、図１３Ｂを用いて説明したように、再生された音楽データ毎に、楽曲再生情報や運動情報を取得するようにした場合には、再生楽曲情報を用いた運動量の計算などを行いやすいという利点がある。
【０１１９】
そして、ステップＳ１１５において、図１３を用いて説明したように、履歴情報を記録装置部５３の記録媒体に記録した後において、音響再生装置１の制御部１０は、今回、使用者が行った運動についての情報（運動情報）を、表示回路３３を通じて、表示部３４の表示画面に表示し（ステップＳ１１６）、この図４、図５に示した処理を終了する。
【０１２０】
なお、ステップＳ１１６の処理においては、運動時間、歩行距離（移動距離）、平均速度、消費カロリー、脂肪燃焼量といった情報が算出され、これらの情報が、例えば、図１２の運動情報の表示例に示したような態様で表示部３４の画面３４Ｇに表示されることになる。
【０１２１】
このように、この実施の形態の音響再生装置１においては、使用者からの目標運動量の入力を受け付け、使用者の指示に応じて音楽データを再生し、これに応じて運動を行った使用者の運動量などを把握して、使用者の実運動量が目標運動量に到達するまで運動を継続させるようにすることができるものである。
【０１２２】
そして、この実施の形態の音響再生装置１は、図１３を用いて説明したように、運動目標設定履歴や、再生楽曲情報と運動情報とからなる運動実施履歴を生成し、これを記憶保持することができるものである。この履歴情報が、詳しくは後述するが、パーソナルコンピュータなどの情報処理装置２を通じて、目的とするサービス情報提供装置としてのサーバ装置に送信され、運動の実施状況などに応じて、サービス情報の提供を受けて、これを情報処理装置２を介して利用することができるようにされる。
【０１２３】
また、図４、図５に示した例の場合には、音響再生装置１の使用者が行う運動が、ステップＳ１０２において入力された目標運動量に到達した場合に終了するものとして説明したが、例えば、ステップＳ１１３の判断処理において、再生停止操作がされたか否かをも判別するようにし、再生停止操作がされた場合にも、ステップＳ１１４の処理に進むようにし、このような強制的な再生終了の場合であっても、図１３に示した履歴情報を生成して記憶装置部５３の記録媒体に記録し、また、運動量を図１２に示した態様で表示部３４の表示画面３４Ｇに表示して使用者に提示することも可能である。もちろん、ステップＳ１１３の判断処理とは別個に、再生停止操作がされたか否かを判別するようにし、再生停止操作がされた場合にステップＳ１１４の処理に進むようにしてもよい。
【０１２４】
［種々の運動量の算出方法について］
次に、図５に示したステップＳ１１２において行われる種々の運動量の算出処理の一例について具体的に説明する。上述もしたように、ここでは、この実施の形態の音響再生装置１によって再生される音楽に合わせて所定の運動を行った場合の種々の運動量を算出する。この算出処理においては、使用者によって入力された体重、身長、年齢、性別などの個人プロフィール情報と、再生した音楽データの再生時間や曲テンポ、あるいは、運動情報センサ２４を通じて検出した使用者の運動テンポの平均値などからなる特性情報とに基づいて、使用者が行ったであろう運動の運動量を算出する。
【０１２５】
まず、運動時間であるが、これは音楽データの再生時間と同じである。したがって、再生された音楽データの演奏時間（再生時間）を計測して把握しておき、図１３Ｂに示したように、運動実施履歴として記憶保持するようにし、再生した音楽データの演奏時間を合算することによって、使用者の運動時間を算出することができる。
【０１２６】
次に、歩行距離（移動距離）であるが、これは、個人プロフィール情報（個人プロファイル情報）と再生された音楽データの特性情報とに基づいて算出することができる。図１４は、歩行距離の算出について説明するための図である。図１４の（１）式に示すように、ウォーキング時における人間の歩幅は身長の約４５パーセントに相当する長さであることが知られている。また、図１４の（２）式に示すように、ジョギング時における人間の歩幅は身長の約５０パーセントに相当する長さであることが知られている。このため、歩行距離は、図１４の（３）式に示すように、使用者が行った運動に応じた歩幅と歩数とを掛け合わせることにより求めることが可能である。
【０１２７】
したがって、例えば、図１４の最初の例に示したように、身長１７０ｃｍの人がテンポ１２０の音楽に合わせて、２分３０秒間歩いた（ウォーキングした）場合の歩行距離は、図１４の（４）式に示したように、まず、身長×０．４５なる演算を行って歩幅を求め、テンポ（１分間あたりの拍数）が１２０の音楽に合わせてウォーキングしているので、１分間に約１２０歩（回）歩いているものとして、歩幅に１２０歩（回）を乗算することにより、１分間あたりの歩行距離が求められ、これに運動時間（運動継続時間）である２分３０秒を乗算することにより、図１４の（４）に示すように、歩行距離は２２９．５ｍであると算出することができる。
【０１２８】
また、例えば、図１４の二番目の例に示したように、身長１７０ｃｍの人がテンポ１７０の音楽に合わせて、２分３０秒間走った（ジョギングした）場合の歩行距離（走行距離）は、図１４の（５）式に示したように、まず、身長×０．５なる演算を行って歩幅を求め、テンポ（１分間あたりの拍数）が１７０の音楽に合わせてジョギングしているので、１分間に約１７０歩（回）歩いているものとして、歩幅に１７０歩（回）を乗算することにより、１分間あたりの歩行距離が求められ、これに運動時間（運動継続時間）である２分３０秒を乗算することにより、図１４の（５）式に示すように、歩行距離は３６１．２４ｍであると算出することができる。
【０１２９】
なお、ここでは、曲テンポを用いるようにしたが、図１３Ｂに示した運動実施履歴のように、運動情報センサ２４を通じて検出するようにした使用者の実際の運動テンポの平均値を把握している場合には、曲テンポに代えて、この運動テンポ（平均）を用いて、歩行距離を求めるようにしてもよい。なお、本来、ウォーキングの場合には「歩行距離」、ジョギングやランニングなどの場合には「走行距離」と区別することも考えられるが、説明を簡単にするため、ここでは、ウォーキングおよびジョギングのいずれを行った場合にもその移動距離を歩行距離という文言で示すようにしている。
【０１３０】
次に、運動時の平均速度であるが、上述のように求めることが可能である運動時間と歩行距離とに基づいて算出可能である。図１５は、運動時の移動の平均速度の算出を説明するための図である。速さは、道のり／時間で求めることができるので、平均速度は、図１５の（６）式に示すように、歩行距離を運動時間で割り算することにより求めることができる。したがって、３ｋｍを３０分で移動した場合の平均速度は、図１５の（７）式に示す演算により、時速６ｋｍ（６ｋｍ／ｈ）であると算出することができる。
【０１３１】
次に、消費カロリー（消費エネルギー）であるが、これには、１分間あたりの消費エネルギーに基づいて算出する方法と、運動ごとに定められる運動強度を示す値であるＭＥＴＳ（Metabolic Equivalents）値を用いて算出する方法とを用いることが可能である。
【０１３２】
図１６は、１分間当たりの消費エネルギーを用いて消費エネルギーを求める場合について説明するための図である。１分間当たりの消費エネルギーＷｍｉｎは、図１６の（８）式に示すように、定数値「３５」に運動時の速度を加算して得た値を、定数値「２０００」に運動者の体重を掛け算した値で割り算することにより求めることができる。このようにして得られる１分間当たりの消費エネルギーＷｍｉｎに運動総時間（分）を掛け算することにより、当該運動総時間分の運動によって消費された消費エネルギー（消費カロリー）を算出することができる。
【０１３３】
そして、図１６に示したように、体重が６８ｋｇの人が、分速１００メートル（１００ｍ／ｍｉｎ）の速度で６０分歩いたときの消費カロリーを求める場合には、まず、図１６の（９）式に示すように、１分間当たりの消費エネルギーＷｍｉｎを求める。そして、図１６の（１０）式に示すように、求めた１分間当たりの消費エネルギーＷｍｉｎに運動総時間である６０分を掛け算することによって、この場合の消費エネルギーのトータルを求めることができる。この例の場合の消費エネルギー（消費カロリー）は、２７５．４ｋｃａｌである。
【０１３４】
また、図１７は、運動ごとに定められる運動強度を示す値であるＭＥＴＳ値を用いて消費エネルギーを求める場合について説明するための図である。ＭＥＴＳ値は、詳しくは後述するが、この実施の形態の音響再生装置１においては、図５に示したステップＳ１１２の処理において選択されるものであり、各種の運動毎に予め求められている運動強度を示す値であり、例えば、図１７に示すように、ウォーキングであれば、ＭＥＴＳ値は４〜７、ジョギングであれば、ＭＥＴＳ値は７〜１５が効果的な運動をする場合の値として知られている。
【０１３５】
そして、ＭＥＴＳ値を用いて消費エネルギーを求める場合には、図１７の（１１）式に示すように、運動者の体重とＭＥＳＴＳ値と運動時間とを掛け算することにより求めることができる。例えば、体重６０ｋｇの人が、５ＭＥＴＳの強度の運動を３０分行った場合の消費エネルギー（消費カロリー）は、図１７の（１２）式に示すように、１５０ｋｃａｌと求めることができる。
【０１３６】
例えば、図９に示したように、再生可能な楽曲データがあり、曲ＡのＭＥＴＳ値が「３．５」、曲ＢのＭＥＴＳ値が「５．０」、曲ＣのＭＥＴＳ値が「３．５」、曲ＤのＭＥＴＳ値が「３．０」、曲ＥのＭＥＴＳ値が「４．０」、曲ＤのＭＥＴＳ値が「３．５」であり、これら曲Ａ〜曲Ｆまでの６曲の楽曲を再生し、これに合わせて使用者が運動を行った場合であって、当該使用者の体重が６０ｋｇであったとすると、図１７の（１３）式に示すように、８２．０９５ｋｃａｌと求めることができる。
【０１３７】
なお、図１７の（１３）式において、最初の値６０は使用者の体重であり、カッコ内の計算は、図９に示した曲Ａ〜曲Ｆまでのそれぞれについて、演奏時間と運動の強度（ＭＥＴＳ値）とを掛け合わせた値の加算値を求めるためのものであり、最後に割る数である値６０は、再生時間を分単位から時間単位に変換するための値（６０分）である。
【０１３８】
このように、１分間当たりの消費エネルギーを用いることにより、あるいは、運動ごとに定められる運動強度を示す値であるＭＥＴＳ値を用いることにより、運動を行った場合の消費エネルギー（消費カロリー）を求めることができる。図１６、図１７に示したように、消費エネルギーは、運動者の個人プロフィール情報の１つである体重と、この実施の形態の音響再生装置１においての音楽データの再生時間と同じと考えることが可能な運動時間（運動継続時間）や、この運動時間を用いることによって算出可能な速度などの情報を用いることによって算出することができる。
【０１３９】
また、脂肪燃焼量は、図１６、図１７を用いて説明した消費エネルギーを用いることによって算出することができる。図１８は、脂肪燃焼量を求める場合について説明するための図である。図１８にも示したように、１ｋｇ（キログラム）の脂肪を燃焼させるためには、約７７００ｋｃａｌのエネルギーが消費されることが知られている。
【０１４０】
このため、脂肪燃焼量を求めるためには、図１８の（１４）式に示したように、消費エネルギー（ｋｃａｌ）を１ｋｇの脂肪を燃焼させるために必要なエネルギーである７７００ｋｃａｌで割り算し、さらに単位合わせのために１０００ｇ（グラム）を掛け算することによって求めることができる。
【０１４１】
そして、図１７を用いて説明したように、図９に示した楽曲情報リストに登録された曲Ａ〜曲Ｆを再生し、これに合わせて運動を行ったときの使用者の消費カロリーは、図１７の（１３）式で求めたように、８２．０９５ｋｃａｌであるので、図１８の（１５）式に示すように、１０．６６ｇ（グラム）の脂肪が燃焼されたと算出することができる。
【０１４２】
このように、運動時間、歩行距離、平均速度、消費エネルギー（消費カロリー）、脂肪燃焼量は、この実施の形態の音響再生装置によって再生される音楽を聴きながら運動を行う使用者の個人プロフィール情報と再生された音楽データの特性情報とに基づいて算出することが可能である。そして、図５に示した処理のステップＳ１１２の処理において、図１４〜図１８を用いて説明した算出処理を行うことによって、ステップＳ１１３の判断処理における判断材料となる、運動時間や消費カロリーを求めることができるし、求めた運動量の累計を把握しておくことにより、ステップＳ１１６において、図１２に示したように表示する使用者が行った運動量の表示を行うことができる。
【０１４３】
なお、目標運動量として、図８を用いて説明したように、運動種別と運動時間とを１つ以上入力するようにした場合には、ステップＳ１１２においては、上述もしたように、使用者が行っている運動の種別（走行タイプ）を自動判別すると共に、運動の種別（走行タイプ）ごとに運動時間を把握する。
【０１４４】
そして、上述のように把握した使用者が行っている運動の種別（走行タイプ）と運動時間とを、目標運動量と入力された運動の種別（設定条件）と目標とする運動時間（設定条件）とを比較していくことにより、先に入力された目標運動量の全てを満足した場合に目標運動量に到達したと判断することができる。
【０１４５】
なお、図８を用いて説明したように、運動種別と運動時間とを１つ以上入力するようにした場合であって、例えば、ジョギングを３０分間実行することを目標として入力した場合であっても、実際には、１５分間ジョギングを行って、５分間ウォーキングした後に、１０分間ジョギングを行うといったように、設定した目標の通りに運動を行うことができない場合もある。そこで、ステップＳ１１３の判断処理においては、運動時間だけで目標運動量に到達したか否かを判断するようにし、運動実施履歴を図１３Ｂに示したように別途作成するようにすることももちろん可能である。
【０１４６】
［ＭＥＴＳ値について］
ここで、図１７を用いて説明した消費エネルギーの算出において用いるようにした運動の強度を示すＭＥＴＳ値について説明する。図１９、図２０は、ＭＥＴＳ値について説明するための図である。ＭＥＴＳ値は、図１９の（１６）式に示したように、運動時酸素酸素摂取量を安静時酸素摂取量で割り算することによって得られる値である。
【０１４７】
図１９にも示したように、安静時の酸素消費量（安静時酸素摂取量）を「Ｒ」、水平方向に移動を伴うときの酸素摂取量である水平移動要素を「Ｈ」、垂直方向に移動を伴うときの酸素摂取量である垂直移動要素を「Ｖ」とする。なお、ウォーキング時の水平移動要素は、図１９の（１８）式に示したように、（０．１×速度）で求めることができ、ランニング時の水平移動要素は、図１９の（１９）式に示したように、（０．２×速度）で求めることができる。また、垂直運動要素は、図１９の（２０）式に示したように、（０．９×速度×傾き）で求めることができる。
【０１４８】
そして、運動時酸素摂取量は、図１９の（１７）式に示したように、（Ｒ＋Ｈ＋Ｖ）として求めることができ、安静時酸素摂取量は、上述もしたようにＲで表されるので、ＭＥＴＳ値は、図１９の（１６）式にも示したように、（Ｒ＋Ｈ＋Ｖ）／Ｒという演算を行うことによって、求めることができるものである。なお、図１９にも示したように、１ＭＥＴＳは、３．５ｍｌ／ｋｇ・ｍｉｎ（ミリリットル／キログラム・分）の酸素消費量に相当し、安静時の酸素消費量と同じである。
【０１４９】
次に、上述したＭＥＴＳ値の具体的な計算例について説明する。図２０に示すように、２つの例について考える。まず、時速６ｋｍ／ｈのウォーキングのＭＥＴＳ値を算出する場合を考える。図１９を用いて説明したように、ＭＥＴＳ値は、安静時酸素摂取量Ｒ、水平移動要素Ｈ、垂直移動要素Ｖが分かれば計算できる。安静時酸素摂取量Ｒは、図１９にも示したように、３．５ｍｌ／ｋｇ・ｍｉｎであると分かっているので、水平移動要素Ｈと垂直移動要素Ｖが分かればＭＥＴＳ値を計算できる。
【０１５０】
そして、水平移動要素Ｈは、ウォーキングの場合、図１９の（１８）式に示したように、（０．１×分速）で求めることができる。したがって、時速６ｋｍ／ｈのウォーキングの場合の分速は、１００ｍ／ｍｉｎであるので、水平移動要素Ｈは、図２０の（２１）式によって、１０．０ｍｌ／ｋｇ・ｍｉｎであると算出することができる。一方、垂直移動要素Ｖは、図１９の（２０）式に示したように、（０．９×分速×傾き）で求められる。しかし、平坦な場所でのウォーキングの場合、運動時において一般に傾きが生じることは無いので、図２０の（２２）式に示したように、傾き＝０ｒａｄ（％）となり、垂直移動要素Ｖは０（ゼロ）ということになる。
【０１５１】
このようにして求められる、安静時酸素摂取量Ｒ、水平移動要素Ｈ、垂直移動要素Ｖを、図２０の（２３）式に示すように加算することにより、運動時酸素摂取量を求めることができ、これを図２０の（２４）式に示すように、安静時酸素摂取量Ｒで割り算することによって、「３．９」というＭＥＴＳ値を求めることができる。すなわち、時速６ｋｍ／ｈのウォーキングのＭＥＴＳ値は、「３．９」であることが求められる。
【０１５２】
次に、時速１０ｋｍ／ｈのジョギングのＭＥＴＳ値を算出する場合を考える。この場合にも、上述したウォーキングの場合と同様に、安静時酸素摂取量Ｒは既に分かっているので、水平移動要素Ｈ、垂直移動要素Ｖが分かればＭＥＴＳ値を算出することができる。そして、時速１０ｋｍ／ｈのランニング時の分速は、１６６．７ｍ／ｍｉｎであるので、水平移動要素Ｈは、図２０の（２５）式に示すように、３３．３４ｍｌ／ｋｇ・ｍｉｎであると算出することができる。
【０１５３】
一方、ランニングの場合にも、ウォーキングの場合と同様に、運動時において一般に傾きが生じることは無いので、図２０の（２６）式に示したように、傾き＝０ｒａｄ（％）となり、垂直移動要素Ｖは０（ゼロ）ということになる。
【０１５４】
このようにして求められる、安静時酸素摂取量Ｒ、水平移動要素Ｈ、垂直移動要素Ｖを、図２０の（２７）式に示すように加算することにより、運動時酸素摂取量を求めることができ、これを図２０の（２８）式に示すように、安静時酸素摂取量Ｒで割り算することによって、「１０．５」というＭＥＴＳ値を求めることができる。すなわち、時速１０ｋｍ／ｈのランニングのＭＥＴＳ値は、「１０．５」であることが求められる。
【０１５５】
このように、運動の種類毎に、その運動を行った場合の運動強度であるＭＥＴＳ値を求めることができる。そして、上述したように求められるＭＥＴＳ値を用いて消費エネルギー求める場合には、図１７の（１１）式に示したように、体重×ＭＥＴＳ値×運動時間で求めることができる。
【０１５６】
そして、図２１に示すように、時速１０ｋｍ／ｈ（分速１６６．７ｍ／ｍｉｎ）で体重６０ｋｇの人が平坦な所を３０分走った場合の消費エネルギー（消費カロリー）を、ＭＥＴＳ値を用いて算出する場合を考える。この場合には、図２１の（２９）式に示すように、まず、（３．５＋１６６．７×０．２）／３．５なる演算を行うことにより、ＭＥＴＳ値を求め、このＭＥＴＳ値と、体重（６０ｋｇ）と、時間（（３０／６０）時間）とを掛け算することにより、消費エネルギーを「３１５．７７ｋｃａｌ」と算出することができる。
【０１５７】
なお、ＭＥＴＳ値を用いた消費エネルギーの算出式を詳細に示すと、図２２のように示すことができる。例えば、ウォーキングした場合について考える。まず、１回の運動の速度（一歩あるくために係る速度）Ｖｉは、図２２の（３０）式に示したように、歩幅Ｗｗを１回の運動時間（一歩あるくためにかかる時間）Ｔｉで割り算することにより求めることができる。
【０１５８】
１回の運動の速度Ｖｉが分かれば、図１９を用いて説明したように、水平移動要素を求めることができる。なお、傾斜のある場所での運動の場合には、その傾きが分かれば、垂直移動要素も算出可能である。しかし、平坦な場所でのウォーキングの場合、通常、傾きが生じることはないので、水平移動成分が分かれば、図１９の（１７）式にしたがって、１回の運動のＭＥＴＳ値を求めることができる。
【０１５９】
そして、図２２の（３１）式に示すように、体重Ｗｅｉｇｈｔと、１回の運動の速度Ｖｉから求めたＭＥＴＳ値ＭＥＴＳ（Ｖｉ）と、一回の運動の時間Ｔｉとを掛け算したものの運動時間分の合計をとることによって、運動によって消費した消費エネルギーを計算することができる。なお、図２２の（３１）式をまとめると、図２２の（３２）式のように示すことができる。
【０１６０】
なお、ＭＥＴＳ値の代表的なものを上げると、時速３．２ｋｍ／ｈのウォーキングのＭＥＴＳ値は２〜３であり、時速４．８ｋｍ／ｈのウォーキングのＭＥＴＳ値は３〜４であり、時速６．４ｋｍ／ｈのウォーキングのＭＥＴＳ値は５〜６であり、時速８ｋｍ／ｈのウォーキングのＭＥＴＳ値は６〜７である。
【０１６１】
また、時速８ｋｍ／ｈのジョギングのＭＥＴＳ値は７〜８であり、時速１０ｋｍ／ｈのジョギングのＭＥＴＳ値は１１であり、時速１２ｋｍ／ｈのジョギングのＭＥＴＳ値は１２．５である。この他、種々の運動についてＭＥＴＳ値が求められているが、サイクリング、エアロビックダンス、縄跳び、ラケットボールなどは比較的にＭＥＴＳ値が高い運動である。
【０１６２】
このように、運動を行った使用者の体重、身長、歩幅などの個人プロフィール情報と、運動実行時に再生された音楽のテンポなどの属性情報が分かれば、その使用者の運動量などの運動情報を簡単かつ迅速に、しかも正確に求めて、運動を行った使用者に提供したり、これを保存して分析したりするなどのことができるようにされる。また、個人プロフィール情報として、年齢や性別などの詳細な情報を有している場合には、より詳細かつ正確に運動情報を算出し、これを利用することができるようにされている。
【０１６３】
［動作テンポと運動の種類の判別について］
次に、この実施の形態の音響再生装置の運動情報解析回路２３において行われる動作テンポの算出と運動の種類の判別について説明する。図２３は、運動センサ２４として設けられた３軸の加速度センサの鉛直方向の出力を示す図であり、図２３において、横軸は時間（秒）、縦軸は、例えば電圧（ミリボルト）である。
【０１６４】
運動情報解析回路２３は、図２３に示したような運動センサ２４からの検出出力を得て、この検出出力（検出波形）のピーク値の周期を検出することにより、動作テンポを検出することができる。より具体的には、運動センサ２４からの検出出力の自己相関を算出することにより、ノイズ成分を除去するようにした後に、ピーク値を特定し、その周期を求めることにより、正確に運動テンポを検出（算出）することができる。
【０１６５】
また、図２３に示したように、ウォーキング時とジョギング時とでは、鉛直方向の加速度成分の大きさは、２倍から３倍ほどジョギング時の方が大きくなるため、これを利用し、鉛直方向の振幅値によって、使用者が行っている運動がウォーキングなのかジョギングなのかを判別することができる。
【０１６６】
また、一般に、音楽を聴きながら使用者が行う運動は、多くの場合、ウォーキングやジョギングであるが、例えば、自転車こぎや縄跳びなどの運動についても、運動センサ２４の検出出力の特徴を把握し、その特徴を検出することが可能である。
【０１６７】
なお、自動的に検出できない運動については、使用者自身が行う運動の種類や運動強度をキー操作部を通じて入力したり選択したりすることにより、この実施の形態の音響再生装置に入力し、これを用いるようにすることができる。
【０１６８】
［情報処理装置２とサービス情報提供装置３とについて］
次に、この実施の形態の健康運動支援システムの情報処理装置２、サービス情報提供装置３の構成例と、その基本的な動作とについて説明する。これに先立ち、上述した音響再生装置１をも含め、この実施の形態の健康運動支援システムを構成する各機器間で送受される情報についてまとめる。
【０１６９】
図２４は、この実施の形態の健康運動支援システムを構成する音響再生装置１、情報処理装置２、サービス情報提供装置３の各機器間において送受される情報について説明するための図である。音響再生装置１に対しては、図４、図６を用いて説明したように、個人プロファイル情報（個人プロフィール情報）として、当該音響再生装置１の使用者の名前、性別、年齢、身長、体重、ＢＭＩ、肥満度などの情報が入力される。しかし、必ずしもこれらの情報の全てを入力する必要はない。
【０１７０】
例えば、図２４に示すように、音響再生装置１に対しては、個人第１プロファイル情報Ｐ１として、体重や身長などの変化する可能性の高い情報を、例えば運動を行う都度入力するようにすればよい。そして、音響再生装置１を例えば家族などの限られた人が共用する場合において、プロファイル情報の一応の区別を可能にするために必要最小限の情報として例えば性別や年齢などの情報を入力でるようにしておけばよい。
【０１７１】
そして、音響再生装置１の使用者の氏名、住所、靴のサイズ、会員になっている団体についての情報などの変更される可能性の低い個人プロファイル情報については、図２４に示すように、個人第２プロファイル情報として、自宅などに設置される情報処理装置２に予め登録するようにしておけばよい。
【０１７２】
また、音響再生装置１においては、上述もしたように、目標運動量（運動目標設定条件）が入力されると共に、再生される音楽データに応じた音楽を聴取しながら運動を行うことにより、履歴情報として、再生楽曲情報や運動情報を取得し、これを記憶保持することができるようにしている。
【０１７３】
そこで、音響再生装置１が把握する個人第１プロファイル情報Ｐ１や目標運動量や履歴情報（再生楽曲情報や運動情報）などの取得情報Ｉを、例えば自宅などに設置される情報処理装置２に送信する。
【０１７４】
情報処理装置２は、音響再生装置１からの個人第１プロファイル情報Ｐ１と目標運動量や履歴情報などの取得情報Ｉと、情報処理装置２自体が記憶保持している個人第２プロファイル情報Ｐ２とを含むサービス提供要求を生成して、これをインターネットなどの所定のネットワーク上に設けられた目的とするサービス情報提供装置３に送信する。
【０１７５】
サービス情報提供装置３は、情報処理装置２から送信されてくる、目標運動量や履歴情報（再生楽曲情報や運動情報）などの取得情報Ｉ、個人第１プロファイル情報Ｐ１、第２個人プロフィール情報を含むサービス提供要求を受信し、受信したサービス提供要求に含まれる情報に基づいて、情報処理装置２に送信（返信）すべきサービス情報を特定する。
【０１７６】
そして、サービス情報提供装置３は、特定したサービス情報を生成したり、あるいは、予め用意されている種々の情報の中からサービス情報として提供する情報を抽出したりするなどして用意し、この用意したサービス情報をサービス提供要求の送信元である情報処理装置２に対して送信する（返信する）。
【０１７７】
これにより、音響再生装置１の使用者は、情報処理装置２を介して、サービス情報提供装置３から提供されるサービス情報を利用することができるようにされる。なお、サービス情報の具体例の詳細については後述するが、その一例をあげれば、例えば、運動情報によって示される使用者の運動量に応じて、音楽データをサービス情報としてプレゼントするなどのことが行われることになる。
【０１７８】
［情報処理装置２について］
次に、この実施の形態の健康運動支援システムの情報処理装置２の構成例と基本的な動作とについて、図２５、図２６を参照しながら説明する。
【０１７９】
図２５は、情報処理装置２の構成例を説明するためのブロック図である。図２５に示すように、この実施の形態の情報処置装置２は、ＣＰＵ２１１、ＲＯＭ２１２、ＲＡＭ２１３、ＥＥＰＲＯＭ２１４が、ＣＰＵバス２１５を通じて接続されてマイクロコンピュータの構成とされた制御部２１０を備えている。
【０１８０】
制御部２１０は、この実施の形態の情報処理装置２の各部を制御するものである。ここで、ＣＰＵ２１１は、プログラムを実行し、これに応じて生成される制御信号を各部に供給することによって各部を制御することができるものであり、制御の主体となるものである。ＲＯＭ２１２は、ＣＰＵ２１１によって実行される種々のプログラムや処理に必要となる種々のデータなどを記憶保持するものである。また、ＲＡＭ２１３は、処理の途中結果を一時記憶するなど、主に作業領域（ワークエリア）として用いられるものである。
【０１８１】
また、ＥＥＰＲＯＭ２１４は、いわゆる不揮発性メモリーであり、当該情報処理装置２の電源が落とされても保持しておくべき情報、例えば、種々の設定情報やパラメータなど、あるいは、上述したように予め入力するようにされる個人第２プロファイル情報などを記憶保持するものである。
【０１８２】
そして、図２５に示すように、制御部２１０に対しは、外部インターフェイス（以下、外部Ｉ／Ｆと略称する。）２２２を介して入出力端子２２１が接続され、操作部２３１、通信インターフェイス（以下、通信Ｉ／Ｆと略称する。）２４１、サービス提供要求生成部２５１のそれぞれが接続され、映像出力処理部２６１を介して表示部２６２が接続され、また、記憶装置部２７１が接続されている。
【０１８３】
入出力端子２２１、外部Ｉ／Ｆ２２２は、外部機器との接続を可能にするものであり、上述した音響再生装置１も、これら入出力端子２２１、外部Ｉ／Ｆ２２２を介して、当該情報処理装置２に接続するようにされる。操作部２３１は、例えば、アルファベットキー、数字キー、種々のファンクションキーなどを備え、使用者からの操作入力を受け付けて、これに応じた電気信号を制御部２１０に供給するものである。これにより、制御部２１０は、使用者からの操作入力に応じて各部を制御し、使用者の要求に応じた処理を実行することができるようにされる。
【０１８４】
通信Ｉ／Ｆ２４１は、インターネットなどの広域ネットワークに接続し、種々のデータを送受することができるようにするものである。サービス提供要求生成部２５１は、入出力端子２２１、外部Ｉ／Ｆ２２２を通じて接続される音響再生装置１からの取得情報Ｉや個人第１プロファイル情報Ｐ１および自機の例えばＥＥＰＲＯＭ２１４に記憶保持している個人第２プロファイル情報を含むサービス提供要求を形成する。
【０１８５】
サービス提供要求生成部２５１で生成されたサービス提供要求は、制御部２１０の制御により、通信Ｉ／Ｆ２４１を通じて目的とするサービス情報提供装置３に送信される。この場合、目的とするサービス情報提供装置３を特定する情報、例えば、ＩＰアドレスなどの情報についても、例えば、ＥＥＰＲＯＭ２１４に記憶保持されているものが用いられるようにされる。なお、図２５において２重線で囲んで示したサービス提供要求生成部２５１の機能は、制御部２１０のＣＰＵ２１１において実行されるプログラムによって実現することもできる。すなわち、制御部２１０がサービス提供要求生成部２５１の機能を実現するように構成することもできる。
【０１８６】
映像出力処理部２６１は、制御部２１０による制御と、制御部２１０を通じて供給される画像情報とに応じて、表示部２６２の表示画面に画像を表示するための画像信号（映像信号）を形成する。表示部２６２は、例えば、ＬＣＤ（Liquid Crystal Display）、ＥＬ（Electro Luminescence）パネル、ＣＲＴ（Cathode-Ray Tube）などの表示素子が用いられたものであり、比較的に大きな表示画面を備え、種々の情報を表示することができるものである。
【０１８７】
そして、表示部２６２の表示画面には、制御部１０の制御に応じて映像出力処理部２６１において生成された映像信号に応じて、操作部２３１を通じて受け付けた使用者からの入力情報、操作ガイダンス、エラーメッセージ、その他の種々の文字情報や画像情報等が表示するようにされる。
【０１８８】
記憶装置部２７１は、所定の記録媒体が搭載された記録媒体ドライブである。したがって、記録媒体が記録可能なＣＤ（Compact Disc）やＤＶＤ（Digital Versatile Disc）などの光ディスクである場合には光ディスクドライブであり、記録媒体がハードディスクである場合には、ハードディスクドライブであり、また、記録媒体が半導体メモリーである場合には半導体メモリドライブである。なお、この実施の形態において、記憶装置部２７１は、例えば、ハードディスクドライブである。
【０１８９】
また、図２５には図示しなかったが、例えば、スピーカと、このスピーカに供給する音声信号を生成するための音声出力処理部を設けることにより、この実施の形態の情報装置装置２に音楽データの再生機能をも搭載し、例えば、入出力端子２２１および外部Ｉ／Ｆ２２２を通じて外部機器から提供を受けた音楽データや通信Ｉ／Ｆ２４１を通じて音楽サーバから提供される音楽データを取得し、記憶装置部２７１に記憶保持して再生できるようにしたり、あるいは提供される音楽データをストリーミング再生したりすることもできるように構成することも可能である。
【０１９０】
そして、図２４を用いて説明したように、図２５に示した構成を有する情報処理装置２の制御部２１０は、サービス提供要求生成部２５１を制御し、音響再生装置１から提供を受けた個人第１プロファイル情報Ｐ１と、目標運動量や再生楽曲情報および運動情報などからなる履歴情報からなる取得情報Ｉと、情報処理装置２が記憶保持している個人第２プロファイル情報Ｐ２とを含むサービス提供要求を生成して、通信Ｉ／Ｆ２４１を通じて目的とするサービス情報提供装置３に送信し、当該サービス情報提供装置３から返信されてくるサービス情報を、通信Ｉ／Ｆ２４１を通じて受信して、受信したサービス情報を利用することができるようにされる。
【０１９１】
次に、図２５に示した構成を有する情報処理装置２の基本的な動作について説明する。図２６は、この実施の形態の情報処理装置２からサービス提供要求を送信し、これに応じて返信されてくるサービス情報を受信して利用する場合の処理を説明するためのフローチャートである。
【０１９２】
図２６に示すフローチャートの処理は、音響再生装置１を情報処理装置２の入出力端子２２１に接続した状態で、操作部２３１を通じてサービス情報提供装置３からサービス情報の提供を受けるようにするための処理の実行が指示された場合に、制御部２１０において実行するようにされる。
【０１９３】
そして、制御部２１０は、まず、外部Ｉ／Ｆ２２２を通じて、入出力端子２２１に接続された音響再生装置１から、個人第１プロファイル情報、目標運動量や再生楽曲情報および運動情報からなる履歴情報を含む取得情報Ｉを収集する（ステップＳ２０１）。次に、制御部２１０は、音響再生装置１から収集した個人第１プロファイル情報Ｐ１、取得情報Ｉ、および、自機のメモリーに記憶保持している個人第２プロファイル情報Ｐ２を、サービス提供要求生成部２５１に供給すると共に、制御して、これらの情報を含むサービス提供要求を生成させる（ステップＳ２０２）。
【０１９４】
次に、制御部２１０は、サービス提供要求生成部２５１と、通信Ｉ／Ｆ２４１とを制御して、サービス提供要求生成部２５１において生成したサービス提供要求を、サービス提供要求生成部２５１から通信Ｉ／Ｆ２４１に供給し、当該通信Ｉ／Ｆ２４１を通じて目的とするサービス情報提供装置３に対して送信する（ステップＳ２０３）。
【０１９５】
このようにして送信されたサービス提供要求に応じて、サービス提供要求が送信されたサービス情報提供装置３においては、サービス情報を取得して、これを要求元の当該情報処理装置２に返信してくるので、当該情報処理装置２は、通信Ｉ／Ｆ２４１を通じてサービス情報を受信する（ステップＳ２０４）。
【０１９６】
そして、情報処理装置２は、受信したサービス情報をユーザに提供して、これをユーザが利用できるようにし（ステップＳ２０５）、この図２６の処理を終了する。なお、ステップＳ２０５の処理は、具体的には、受信したサービス情報を、制御部２１０が、例えば記憶装置部２７１の記録媒体に格納し、いつでも読み出して利用できるようにしたり、あるいは、サービス情報が画像情報である場合には、映像出力処理部２６１を通じて、サービス情報としての画像情報を表示部２６２に表示させたりする処理である。
【０１９７】
このように、情報処理装置２は、音響再生装置１からの情報や自機が保持する情報を含めたサービス提供要求を生成して目的とするサービス情報提供装置３に送信し、これに応じて当該サービス情報提供装置３から返信されてくるサービス情報を受信して、これを使用者に提供することができるものである。
【０１９８】
［サービス情報提供装置３について］
次に、この実施の形態の健康運動支援システムのサービス情報提供装置３の構成例と基本的な動作とについて、図２７、図２８を参照しながら説明する。
【０１９９】
図２７は、サービス情報提供装置３の構成例を説明するためのブロック図である。図２７に示すように、この実施の形態のサービス情報提供装置３は、ＣＰＵ３１１、ＲＯＭ３１２、ＲＡＭ３１３、ＥＥＰＲＯＭ３１４が、ＣＰＵバス３１５を通じて接続されてマイクロコンピュータの構成とされた制御部３１０を備えている。
【０２００】
制御部３１０は、この実施の形態のサービス情報提供装置３の各部を制御するものである。ここで、ＣＰＵ３１１は、プログラムを実行し、これに応じて生成される制御信号を各部に供給することによって各部を制御することができるものであり、制御の主体となるものである。ＲＯＭ３１２は、ＣＰＵ３１１によって実行される種々のプログラムや処理に必要となる種々のデータなどを記憶保持するものである。また、ＲＡＭ３１３は、処理の途中結果を一時記憶するなど、主に作業領域（ワークエリア）として用いられるものである。また、ＥＥＰＲＯＭ３１４は、いわゆる不揮発性メモリーであり、当該情報処理装置２の電源が落とされても保持しておくべき情報、例えば、新たに追加されたプログラムや種々のデータ、種々の設定情報やパラメータなどを記憶保持するものである。
【０２０１】
そして、図２７に示すように、制御部３１０に対しは、操作部３２１が接続され、外部Ｉ／Ｆ３２３を介して入出力端子３２２が接続され、通信Ｉ／Ｆ３３１、サービス情報生成部３４１のそれぞれが接続され、また、履歴情報蓄積部３５１、コンテンツ情報蓄積部３５２が接続されている。
【０２０２】
操作部３２１は、例えば、アルファベットキー、数字キー、種々のファンクションキーなどを備え、使用者からの操作入力を受け付けて、これに応じた電気信号を制御部３１０に供給するものである。これにより、制御部３１０は、使用者からの操作入力に応じて各部を制御し、使用者の要求に応じた処理を実行することができるようにしている。また、入出力端子３２２、外部Ｉ／Ｆ３２３は、外部機器との接続を可能にするものであり、このサービス情報提供装置３に対して種々の情報を提供する外部機器の接続を可能にしている。
【０２０３】
通信Ｉ／Ｆ３３１は、インターネットなどの広域ネットワークに接続し、種々のデータを送受することができるようにするものである。上述した情報処理装置２からのサービス提供要求は、通信Ｉ／Ｆ３３１を通じて受信され、制御部３１０に供給されることになる。そして、サービス情報生成部３４１は、制御部３１０の制御に応じて、通信Ｉ／Ｆ３３１を通じて受信したサービス提供要求と、後述する履歴情報等蓄積部３５１に蓄積されている履歴情報とに基づいて、提供すべきサービス情報を生成したり、あるいは、制御部３１０と協働して、後述するコンテンツ蓄積部３５２に蓄積されているコンテンツ情報の中からサービス情報として提供すべきコンテンツ情報を抽出したりするなどの処理を行う。
【０２０４】
履歴情報等蓄積部３５１は、過去に受信したサービス提供要求に含まれる情報を、例えば音響再生装置１の使用者毎に記憶保持するものである。この履歴情報等蓄積部３５１を有することにより、音響再生装置１の使用者毎に、運動量累計を把握することができるようにされる。また、コンテンツ蓄積部３５２は、音響再生装置１の使用者に提供可能な音楽データや画像情報など、種々コンテンツ情報が提供可能条件とともに記憶保持するものである。
【０２０５】
そして、この実施の形態のサービス情報提供装置３において、通信Ｉ／Ｆ３３１を通じて情報処理装置２からのサービス提供要求を受信すると、制御部３１０はサービス提供要求に含まれる個人第２プロファイル情報に基づいて、当該サービス提供要求の送信元の使用者の履歴情報等蓄積部３５１に蓄積されている履歴情報を読み出し、これらサービス提供要求と履歴情報とをサービス情報生成部３４１に供給して、返信すべきサービス情報を生成するように制御する。
【０２０６】
サービス情報生成部３４１は、制御部３１０を通じて供給されるサービス提供要求と履歴情報等蓄積部３５１から読み出された履歴情報とに基づいて、返信すべきサービス情報を生成したり、コンテンツ蓄積部３５２から返信すべきサービス情報としてのコンテンツ情報を抽出したりして、サービス情報を生成する。
【０２０７】
詳しくは後述もするが、サービス情報生成部３４１は、サービス提供要求に含まれる運動情報と、履歴情報等蓄積部３５１からの履歴情報に含まれる過去の運動情報とから、使用者の目的とする運動の運動量累計を算出し、この累計に応じて提供すべきサービス情報を生成する。例えば、運動量累計に応じて、サービス情報としてのメッセージ情報を生成するようにしたり、あるいは、運動量累計に応じて、サービス情報としてプレゼントする音楽データや画像データをコンテンツ蓄積部３５２から抽出したりする。
【０２０８】
そして、制御部３１０は、サービス提供要求に含まれる情報に基づいて、当該サービス提供要求の送信元の情報処理装置２を特定し、上述したように、サービス情報生成部３４１において生成されたサービス情報を、通信Ｉ／Ｆ３３１を通じてネットワークに送出し、サービス提供要求元の目的とする情報処理装置２に返信するようにしている。
【０２０９】
次に、図２７に示した構成を有するサービス情報提供装置３の基本的な動作について説明する。図２８は、情報処理装置２からのサービス提供要求に応じて、この実施の形態のサービス情報提供装置３がサービス情報を生成して返信する場合の処理を説明するためのフローチャートである。
【０２１０】
サービス提供要求に対応可能なサービス情報提供装置３においては、その制御部３１０において、図２８に示す処理が実行される。そして、制御部３１０は、通信Ｉ／Ｆ３３１からの情報を監視し、自機宛てのサービス提供要求を受信するまで待ち状態となる（ステップＳ３０１）。ステップＳ３０１の判断処理において、自機宛てのサービス提供要求を受信したと判断した場合には、制御部３１０は、受信した当該サービス提供要求に含まれる情報、すなわち、運動目標量、再生楽曲情報や運動情報などの履歴情報を確認すると共に、サービス情報生成部３４１を制御して、それらの情報についての分析処理を実行するようにする（ステップＳ３０２）。
【０２１１】
なお、ステップＳ３０２における分析処理は、上述もしたように、履歴情報等蓄積部３５１に蓄積されている同じ使用者についての履歴情報をも考慮し、運動量の累積値や運動時間の累積値などの必要な情報を求めるなどの処理をも含むものである。
【０２１２】
そして、制御部３１０は、サービス生成部３４１を制御し、ステップＳ３０２においての分析結果に基づいて、要求元の情報処理装置２に対して提供するサービス情報を生成する（ステップＳ３０３）。このステップＳ３０３においては、詳しくは後述もするが、運動量に応じて提供する情報を生成したり、運動量に応じてプレゼントする音楽データや画像データをコンテンツ蓄積部３５２から抽出したりするなどの処理が行われることになる。
【０２１３】
次に、制御部３１０は、ステップＳ３０３において、サービス情報生成部３４１が生成したサービス情報を通信Ｉ／Ｆ３３１を通じて要求元の情報処理装置２に返信し（ステップＳ３０４）、この図２８に示す処理を終了する。
【０２１４】
このように、サービス情報提供装置３は、情報処理装置２からのサービス情報提供要求に応じて、サービス情報を生成し、これを要求元の情報処理装置２に対して返信し、このサービス情報を音響再生装置１の使用者が情報処理装置２を介して利用することができるようにされる。
【０２１５】
［サービス情報等の具体例について］
次に、この実施の形態の健康運動支援システムのサービス情報提供装置３が提供可能なサービスの具体例について、図２９〜図３１を参照しながら説明する。
【０２１６】
［音楽コンテンツサービスについて］
図２９（Ａ）は、サービス情報提供装置３が、図１に示した音楽サーバ装置３（１）である場合において、当該音楽サーバ装置３（１）が提供するサービス情報について説明するための図である。音楽サーバ装置３（１）の主たる機能は、ユーザからの要求に応じて、例えば有料で、場合によっては無料で、音楽データ（音楽コンテンツ）をネットワーク１００を介して提供するようにするものである。
【０２１７】
しかし、この例の音楽サーバ装置３（１）は、提供可能なサービスの１つとして、音響再生装置１の使用者が、当該音響再生装置１を身に付けて、当該音響再生装置で音楽を再生しながらウォーキング、ジョギング、ランニングといった運動を１０万歩以上行った場合に、ボーナス曲として所定の音楽データを無料で提供する音楽コンテンツサービス（ボーナス曲プレゼントサービス）を行うことができるものである。
【０２１８】
すなわち、上述もしたように、この実施の形態の音響再生装置１は、使用者が音響再生装置１を身に付けた状態で音楽データを再生しながらこれに合わせてウォーキング、ジョギング、ランニングなどの運動を行うようにした場合には、再生楽曲情報と運動情報とからなる運動実施履歴を生成して自機の記憶装置部５３に蓄積する。
【０２１９】
そして、運動終了後の所定のタイミングにおいて、自宅に設置されている情報処理装置２に当該音響再生装置１を接続して、所定の操作を行うと、情報処理装置２の制御部２１０は、音響再生装置１から図１３Ｂを用いて説明した運動実施履歴や個人第１プロファイル情報を収集し、これらの収集した情報と、自機が保持する個人第２プロファイル情報とを含めたサービス提供要求を生成し、これを通信Ｉ／Ｆ２４１を通じて目的とする音楽サーバ装置３（１）に送信する。
【０２２０】
サービス情報提供装置３の１つである音楽サーバ装置３（１）の制御部３１０は、通信Ｉ／Ｆ３３１を通じて情報処理装置２からサービス提供要求を受信し、当該サービス提供要求に含まれる運動実施履歴の中の運動情報の１つである歩数について、使用者毎に累計を管理するようにしている。すなわち、サービス情報提供要求には、音響再生装置１の使用者の氏名など、当該使用者に固有の識別情報が含まれるので、この使用者に固有の識別情報をキー情報として用いて、使用者毎の歩数の累計管理を音楽サーバ装置３（１）において管理することができる。
【０２２１】
そして、サービス提供要求を受信する毎に、音楽サーバ装置３（１）の制御部３１０は、使用者毎に歩数の累計を計算し、歩数の累計が１０万歩を超えた使用者に対して、図２９（Ａ）に示すように、歩数の類型が１０万歩を超えたことを通知するメッセージと、歩数の累計が１０万歩を超えたことにより、無料で「曲ア」と「曲イ」をボーナス曲としてダウンロードができることを通知するメッセージと、ボーナス曲のダウンロードの実行を指示するための「する」アイコンと、ボーナス曲のダウンロードを実行しないことを指示する「しない」アイコンと、サービスポイントの累計値と、リコメンドプレイリストの提供が可能であることを示すメッセージとを含む表示情報を形成し、これを第１段階のサービス情報として通信Ｉ／Ｆ３３１を通じて要求元の情報処理装置２に送信する。
【０２２２】
情報処理装置２は、サービス情報提供装置である音楽サーバ装置３（１）からの表示情報を通信Ｉ／Ｆ２４１を通じて受信し、この表示情報を制御部２１０が映像出力処理部２６１を介して表示部２６２供給するようにして、図２９（Ａ）に示した表示情報を表示部２６２の表示画面２６２Ｇに表示する。そして、情報処理装置２は、操作部２３１を介して、使用者からの指示入力を受け付けるようにする。
【０２２３】
使用者は、ボーナス曲（無料でダウンロード可能な音楽データ）のダウンロードを希望する場合には、今回のボーナス曲である「曲ア」または「曲イ」のいずれかを選択し、ダウンロードを実行することを指示する「する」アイコンを選択すると、情報処理装置２の制御部２１０は、選択されたボーナス曲の提供要求を生成して、通信Ｉ／Ｆ２４１を通じて当該音楽サーバ装置３（１）に返信する。
【０２２４】
音楽サーバ装置３（１）の制御部３１０は、通信Ｉ／Ｆ３３１を通じて情報処理装置２からボーナス曲の提供要求を受信した場合には、コンテンツ蓄積部３５２から要求された音楽データを抽出し、これを通信Ｉ／Ｆ３３１を通じて、要求元の情報処理装置２に返信する。
【０２２５】
情報処理装置２は、通信Ｉ／Ｆ２４１を通じてボーナス曲の音楽データを受信し、制御部２１０は、これを記憶装置部２７１の記録媒体に格納して、当該情報処理装置２で再生して利用したり、また、外部Ｉ／Ｆ２２２、入出力端子２２１を通じて、これに接続された音響再生装置１に転送し、当該音響再生装置１において再生して利用したりすることもできるようにされる。
【０２２６】
なお、ボーナス曲が既に所有しているものや、使用者にとってあまり興味のないものであるために、ダウンロードする必要がない場合には、ボーナス曲のダウンロードを実行しないことを指示する「しない」アイコンを選択することにより、ボーナス曲のダウンロードをしないことを通知する情報が、情報処理装置２の制御部２１０で生成され、これが通信Ｉ／Ｆ２４１を通じて音楽サーバ装置３（１）に送信されて、ボーナス曲のダウンロードは必要ないことが通知される。この場合、別のボーナス曲を提供したり、ボーナス曲の提供の代わりに以下に説明するサービスポイントをプレゼントしたりするなどのこともできるようにされる。
【０２２７】
また、累計サービスポイントは、それまでに使用者が購入するようにした音楽データの購入数に応じて、あるいは、購入金額に応じて付与される点数であり、点数に応じて種々のサービスの提供を受けることもできるようにされる。例えば、１点を１００円とみなして、累計サービスポイント分の音楽データの購入をできるようにしたり、あるいは、累計サービスポイントに応じて、音楽データ以外のプレゼント、例えば、ハンカチ、Ｔシャツ、ぬいぐるみ、商品券、旅行券などの様々なものと交換できるようにしたりするなどのことが考えられる。
【０２２８】
なお、累計サービスポイントは、使用者に通知するだけでもよいし、また、累計サービスポイントを使用者が選択することにより、情報処理装置２の制御部２１０は、累計ポイントに応じたサービス提供要求を生成し、これを通信Ｉ／Ｆ２４１を通じて音楽サーバ装置３（１）に送信する。
【０２２９】
累計ポイントに応じたサービス提供要求を通Ｉ／Ｆ３３１を通じて受信した場合には、音楽サーバ装置３（１）の制御部３１０は、要求元の情報処理装置２の使用者の累計ポイントに応じて提供可能なサービスの一覧リストを作成し、これを通信Ｉ／Ｆ３３１を通じて要求元の情報処理装置２に対して返信する。
【０２３０】
要求元の情報処理装置２の制御部２１０は、通信Ｉ／Ｆ２４１を通じて、累計ポイントに応じて提供可能なサービスの一覧リストを受信すると、これを映像出力処理部２６１を通じて表示部２６２に供給し、表示部２６２の表示画面に当該一覧リストを表示し、使用者の選択入力を受け付けて、累計サービスポイントに応じた音楽データの無料提供を要求したり、累計サービスポイントとプレゼントとの交換を要求したりすることができるようにされる。
【０２３１】
また、リコメンドプレイリストは、音楽サーバ装置３（１）がそれまでに受信したサービス提供要求に含まれる再生楽曲情報や、サービス提供要求元の情報処理装置２の使用者が、音楽データのダウンロードの履歴に基づいて、当該使用者の音楽の嗜好を分析し、その結果に応じて、当該使用者の嗜好に合致した音楽データを推薦するためのリストである。
【０２３２】
したがって、リコメンドプレイリストを使用者が選択することにより、情報処理装置２の制御部２１０は、リコメンドプレイリストの提供要求を生成し、これを通信Ｉ／Ｆ２４１を通じて音楽サーバ装置３（１）に送信する。
【０２３３】
リコメンドプレイリストの提供要求を通Ｉ／Ｆ３３１を通じて受信した場合には、音楽サーバ装置３（１）の制御部３１０は、上述もしたように、それまでに受信した再生楽曲情報や購入履歴に基づいて、要求元の情報処理装置２の使用者の嗜好を分析し、当該使用者の嗜好に合っているであろう音楽データであって、まだ、ダウンロードされたことのない音楽データの一覧リストであるリコメンドプレイリストを作成し、これを通信Ｉ／Ｆ３３１を通じて要求元の情報処理装置２に対して返信する。
【０２３４】
要求元の情報処理装置２の制御部２１０は、通信Ｉ／Ｆ２４１を通じて、リコメンドプレイリストを受信すると、これを映像出力処理部２６１を通じて表示部２６２に供給し、表示部２６２の表示画面に当該リコメンドプレイリストを表示し、使用者の選択入力を受け付けて、リコメンドプレイリストを通じて推薦された音楽データの提供を要求するなどのことができるようにされる。また、リコメンドプレイリストには、種々の音楽情報などを含めて提供するようにすることもできる。
【０２３５】
［仮想旅行サービスについて］
図２９（Ｂ）は、サービス情報提供装置３が、図１に示した運動支援サーバ装置３（２）である場合において、当該運動支援サーバ装置３（２）が提供するサービス情報について説明するための図である。運動支援サーバ装置３（２）は、音響再生装置１の使用者が日々行う、ウォーキング、ジョギング、ランニング、その他の種々のエクササイズなどを、比較的に長期間に渡って継続することができるように支援するためのものである。
【０２３６】
この例の運動支援サーバ装置３（２）は、音響再生装置１の使用者が、当該音響再生装置１を身に付けて、音楽を再生しながらウォーキング、ジョギング、ランニングといった運動を行った場合に、その運動距離に応じて、予め決められた旅行ルート上を仮想的に辿ることができるようにするサービス（仮想旅行サービス）を提供することができるものである。ここでは、図２９（Ｂ）に示すように、予め決められた旅行ルートとして、四国８８か所の霊場を巡り歩く、いわゆる四国お遍路のルートを用いる場合を例にして説明する。
【０２３７】
この例の場合にも、上述した音楽コンテンツサービスの場合と同様に、音響再生装置１の使用者が、音響再生装置１で音楽データを再生しながら、これに合わせてウォーキング、ジョギング、ランニングなどの運動を行うようにすると、図１３Ｂを用いて説明した再生楽曲情報と運動情報とからなる運動実施履歴が、音響再生装置１の記憶装置部５３に蓄積される。
【０２３８】
そして、自宅に設置されている情報処理装置２に当該音響再生装置１を接続して、所定の操作を行うと、情報処理装置２の制御部２１０は、音響再生装置１から図１３Ｂを用いて説明した運動実施履歴や個人第１プロファイル情報を収集し、これらの収集した情報と、自機が保持する個人第２プロファイル情報とを含めたサービス提供要求を生成し、これを通信Ｉ／Ｆ２４１を通じて目的とする運動支援サーバ装置３（２）に送信する。
【０２３９】
サービス情報提供装置３の１つである運動支援サーバ装置３（２）の制御部３１０は、通信Ｉ／Ｆ３３１を通じて情報処理装置２からサービス提供要求を受信した場合には、当該サービス提供要求に含まれる運動実施履歴の中の運動情報の１つである歩数に基づいて、使用者毎の移動距離の累計を管理するようにしている。上述もしたように、サービス情報提供要求には、音響再生装置１の使用者の氏名など、当該使用者に固有の識別情報が含まれるので、この使用者に固有の識別情報をキー情報として用いて、使用者毎の移動距離の累計を運動支援サーバ装置３（２）において管理することができるようにしている。また、この実施の形態の運動支援サーバ装置３（２）は、四国８８か所の各霊場間の距離を把握している。
【０２４０】
そして、運動支援サーバ装置３（２）の制御部３１０は、サービス提供要求を受信するごとに、使用者毎に移動距離の累計を把握して、自機が予め把握している霊場間の距離に基づいて、四国お遍路のルート上における使用者の移動距離を地図上に表示すると共に、必要な情報を表示するための情報を形成して、これを通信Ｉ／Ｆ３３１を通じて要求元の情報処理装置２に返信する。
【０２４１】
具体的には、図２９（Ｂ）に示すように、四国巡礼Ｎ日目というように運動を実施した日のカウント値（運動の実施日数累計値）と、最新の運動実施日の歩数（本日の歩数）と、歩数累計と、次に到達すべき札所（次の目的地）と、お遍路のルート上における現在までの進度とを情報処理装置２の表示部２６２の表示画面２６２Ｇに表示するようにするための表示情報を形成し、これを通信Ｉ／Ｆ３３１を通じて要求元の情報処理装置２に返信する。
【０２４２】
ここで、運動の実施日数累計値は、例えば、音響再生装置１の記憶装置部５３に蓄積される運動実施履歴に実施年月日などの日付情報を付加しておき、この日付情報も情報処理装置２から運動支援サーバ装置３（２）に送信するサービス提供要求に含めておく。そして、運動支援サーバ装置３（２）においては、サービス提供要求に含まれる運動実施履歴の実施年月日が異なる毎に実施日数をカウントアップすることにより、運動の実施日数を把握することができ、これを四国遍路（四国巡礼）の実施日数とみなして表示する情報とすることができる。
【０２４３】
また、本日の歩数は、最新に受信したサービス提供要求の運動実施履歴に含まれる歩数情報であり、歩数累計は、運動を開始した日から最新に運動を行った日までの歩数の累計値である。そして、運動支援サーバ装置３（２）においては、受信するサービス提供要求の運動実施履歴の自動的に検出判定するようにした走行タイプと使用者の身長とによって決まる使用者の歩幅と使用者の歩数との乗算を行うことにより移動距離（走行距離）を求めることができ、これを累積することにより移動距離の累積値を得ることができる。
【０２４４】
このようにして求めた移動距離の累積値を、お遍路のルート上ではどこまで到達しているかを把握することによって、次の目的地はどこかを正確に把握することができるので、把握した次の目的地を示す情報を表示する情報とすることができると共に、図２９（Ｂ）に示すように、四国の地図上に、お遍路のルートに沿って移動済みの距離を示すようにする表示情報をも形成することができる。
【０２４５】
このようにして、図２９（Ｂ）に示したような表示を行うようにするための表示情報を、運動支援サーバ装置３（２）の制御部３１０において生成し、これを通信Ｉ／Ｆ３３１を通じて、サービス提供要求を送信してきた要求もとの情報処理装置２に返信する。
【０２４６】
情報処理装置２の制御部２１０は、通信Ｉ／Ｆ２４１を通じて運動支援サーバ装置３（２）からのサービス情報（表示情報）を受信した場合には、これを映像出力処理部２６１を通じて表示部２６２に供給し、表示部２６２の表示画面２６２Ｇに図２９（Ｂ）に示したように、サービス情報を表示することができるようにされる。
【０２４７】
これにより、音響再生装置１の使用者は、日々近所の公園などでウォーキング、ジョギング、ランニングなどを行うようにした場合に、お遍路のルートになぞらえて、運動距離を把握することができ、各札所（霊場）を目標とすることができ、ウォーキング、ジョギング、ランニングといった単調な運動を継続できるように動機付けが与えられる。
【０２４８】
この他、各札所に到達した場合（通過した場合も含む。）に、到達した札所の外観写真や歴史等の情報を提供するようにし、情報処理端末２を通じて仮想的にお参りすることができるようにするなどのサービスも提供することができる。また、運動距離に応じてポイントを付与し、獲得ポイントに応じてプレゼントに応募できる権利を与えたり、漏れなくプレゼントを与えたりするなどのサービスも提供することもできる。
【０２４９】
また、ここでは、予め決められた旅行ルートとして、四国のお遍路のルートを用いるようにしたが、これに限るものではない。例えば、松尾芭蕉が辿ったとされる奥の細道を仮想的に辿るようにする奥の細道コース、日本縦断を仮想的に行う日本縦断コース、世界１周を仮想的に行う世界１周コース、パリ−ダカールラリーのコースを仮想的に辿るようにするパリ−ダカールラリーコース、シルクロードを仮想的に辿るようにするシルクロードコースなど、種々のコースを設定し、それらのコースを仮想的に辿るようにすることももちろん可能である。
【０２５０】
音響再生装置１の使用者が、自分が目標とする運動量や継続させたい期間に応じて、仮想的に辿るようにするコースを選択できるようにしておくことにより、個々の使用者のそれぞれが、目的とする運動を行うようにすることができるように、各使用者の運動を支援することができるようにされる。
【０２５１】
また、ここでは、近所の公園などの身近なコースで日々運動することにより、その運動量（移動距離）を予め決められたコースになぞらえるようにすることによって、仮想的に旅行を楽しむことができるようにした。しかし、これに限るものではない。例えば、実際に、目的とする旅行のコースを辿った場合に、目的地に到達する毎に、その目的地を特定する情報や目的地に到達した日時を入力するようにして、後で運動量を確認したりするなどのこともできる。
【０２５２】
［健康運動管理サービスについて］
図３０（Ａ）は、サービス情報提供装置３が、図１に示した健康支援サーバ装置３（３）である場合において、当該健康支援サーバ装置３（３）が提供するサービス情報について説明するための図である。健康支援サーバ装置３（３）は、音響再生装置１の使用者が日々行う、ウォーキング、ジョギング、ランニング、その他の種々のエクササイズなどを継続する場合において、無理な運動を続けて健康を損ねたり、逆に負荷が小さすぎて運動の効果が無かったりすることを防止し、適度な運動を適切に行えるように支援するためのものである。
【０２５３】
この例の場合にも、上述した音楽コンテンツサービスの場合と同様に、音響再生装置１の使用者が、音響再生装置１を身に付けた状態で、音楽データを再生しながら、これに合わせてウォーキング、ジョギング、ランニングなどの運動を行うようにすると、再生楽曲情報と運動情報とからなる運動実施履歴が生成され、音響再生装置１の記憶装置部５３に蓄積される。
【０２５４】
そして、自宅に設置されている情報処理装置２に当該音響再生装置１を接続して、所定の操作を行うと、情報処理装置２の制御部２１０は、音響再生装置１から図１３Ｂを用いて説明した運動実施履歴や個人第１プロファイル情報を収集し、これらの収集した情報と、自機が保持する個人第２プロファイル情報とを含めたサービス提供要求を生成し、これを通信Ｉ／Ｆ２４１を通じて目的とする健康支援サーバ装置３（３）に送信する。
【０２５５】
サービス情報提供装置３の１つである健康支援サーバ装置３（３）は、情報処理装置２からサービス提供要求を受信し、当該サービス提供要求に含まれる運動実施履歴の中の運動情報に基づいて、使用者毎の歩数を運動実施日毎に把握すると共に、図１４〜図２２を用いて説明した所定の計算式を用いることにより、運動実施部毎に消費カロリーを算出する。
【０２５６】
そして、健康支援サーバ装置３（３）の制御部３１０は、図３０（Ａ）に示したように、歩数を棒グラフで、消費カロリーを折れ線グラフで示すようにしたグラフ情報を生成すると共に、歩数、消費カロリーといった運動情報や使用者の年齢、性別、身長、体重といった個人プロフィール情報（個人プロファイル情報）に基づいて、予め登録されているアドバイス情報の中から適切なものを抽出し、図３０（Ａ）に示したような表示情報を生成して、これを通信Ｉ／Ｆ３３１を通じて要求元の情報処理装置２に返信する。
【０２５７】
情報処理装置２の制御部２１０は、通信Ｉ／Ｆ２４１を通じて健康支援サーバ装置３（３）からのサービス情報（表示情報）を受信した場合には、これを映像出力処理部２６１を通じて表示部２６２に供給し、表示部２６２の表示画面２６２Ｇに図３０（Ａ）に示したように、サービス情報を表示することができるようにされる。
【０２５８】
これにより、音響再生装置１の使用者は、自分が日々行っている運動が、自分に合っているのか、合っていないのかを客観的に知ることができると共に、必要以上に身体に負荷をかけることなく、適度な運動を適切に行うようにすることができる。
【０２５９】
なお、ここでは、アドバイス情報は、予め用意されているものを、使用者の運動量やプロファイル情報に基づいて抽出するものとして説明したが、これに限るものではない。例えば、使用者の運動量やプロファイル情報に基づいて、医師、看護士、スポーツインストラクター、スポーツトレーナーといった、知識、経験、資格を持ったアドバイザが、日々アドバイス情報を作成してこれを返信するようにしてもよい。
【０２６０】
また、通常は、上述もしたように、予め容易されているアドバイスの中から適切なものを提供するが、運動を行うことによって、身体に心配なことが発生した場合などにおいて、音響再生装置１の使用者から通常よりも専門的なアドバイスを求めるようにし、この場合に、上述もしたように、医師や看護士などのアドバイザからのアドバイスを貰うようにすることもできる。
【０２６１】
また、上述したように、歩数や消費カロリーだけでなく、運動時の脈拍や呼吸数などについてもセンシングし、これらの情報も運動実施履歴に含めて、音響再生装置１に蓄積し、これを情報処理装置２を介して健康支援サーバ装置３（３）に送信し、より詳細なアドバイスや注意を貰うようにすることも可能である。
【０２６２】
［イベントキャンペーンサービス］
図３０（Ｂ）は、サービス情報提供装置３として、ネットワーク１００上に設けられる種々のサーバ装置が提供可能なイベントキャンペーンサービスについて説明するための図である。ネットワーク１００上に設けられる音楽サーバ装置３（１）、運動支援サーバ装置３（２）、健康支援サーバ装置３（３）、後述もするブログサーバ装置３（４）、その他の種々のサーバ装置は、例えば、自機の利用促進等を目的として、種々のイベントキャンペーンを行う場合がある。
【０２６３】
以下に説明する例は、ネットワーク１００上に設けられる所定のサーバ装置３（Ｘ）が、音響再生装置１で再生される音楽を聴取するようにしながらウォーキング、ジョギング、ランニングなどを行って、その累積歩数が１００万歩に到達した音響再生装置１の使用者が、抽選でハワイ旅行をプレゼントするキャンペーンに自動的に応募することができるようにするものである。
【０２６４】
この例の場合にも、上述した音楽コンテンツサービス等の場合と同様に、音響再生装置１の使用者が、音響再生装置１で音楽データを再生しながら、これに合わせてウォーキング、ジョギング、ランニングなどの運動を行うようにすると、再生楽曲情報と運動情報とからなる運動実施履歴が、音響再生装置１の記憶装置部５３に蓄積される。
【０２６５】
そして、自宅に設置されている情報処理装置２に当該音響再生装置１を接続して、所定の操作を行うと、情報処理装置２の制御部２１０は、音響再生装置１から図１３Ｂを用いて説明した運動実施履歴や個人第１プロファイル情報を収集し、これらの収集した情報と、自機が保持する個人第２プロファイル情報とを含めたサービス提供要求を生成し、これを通信Ｉ／Ｆ２４１を通じてネットワーク１００上に設けられたサーバ装置であって、目的とするイベントキャンペーンを実施している所定のサーバ装置３（Ｘ）に対して送信する。
【０２６６】
サービス情報提供装置３の１つである当該イベントキャンペーンを実施している所定のサーバ装置３（Ｘ）は、情報処理装置２からサービス提供要求を受信した場合には、当該サービス提供要求に含まれる運動実施履歴の中の運動情報の１つである歩数について、使用者毎に累計を管理するようにしている。上述もしたように、サービス情報提供要求には、音響再生装置１の使用者の氏名など、当該使用者に固有の識別情報が含まれるので、この使用者に固有の識別情報をキー情報として用いて、使用者毎の歩数の累計を管理することができる。
【０２６７】
そして、当該サーバ装置３（Ｘ）の制御部３１０は、図３０（Ｂ）に示したように、画面の左側の領域を、「１００万歩でハワイに行こう」などのイベントキャンペーンタイトルの表示情報と、「本日」という項目の表示情報と、本日の歩数の表示情報と、「累計」という項目の表示情報と、累計歩数の表示情報とを有するイベントキャンペーンエリア（イベントキャンペーン領域）とし、画面の右側の領域を、運動用品の広告や、健康促進商品の広告や、新譜情報などからなる広告エリア（広告領域）とする表示情報を生成し、これを
通信Ｉ／Ｆ３３１を通じて要求元の情報処理装置２に返信する。
【０２６８】
情報処理装置２の制御部２１０は、通信Ｉ／Ｆ２４１を通じて所定のサーバ装置３（Ｘ）から返信されてくるサービス情報（表示情報）を受信した場合には、これを映像出力処理部２６１を通じて表示部２６２に供給し、表示部２６２の表示画面２６２Ｇに図３０（Ｂ）に示したように、サービス情報を表示することができるようにされる。
【０２６９】
これにより、音響再生装置１の使用者は、情報処理装置２の表示部２６２の表示画面２６２Ｇに図３０（Ｂ）に示したように表示される情報に基づいて、今日の歩数、当該サーバソチ（Ｘ）に履歴情報を送信し始めてからの歩数累計を知ることができ、あとどれ位で設定された目標歩数に到達できるかを把握することができ、運動を継続するための動機付けをユーザに対して提供することができる。
【０２７０】
そして、使用者の歩数累計が、設定された目標歩数（この例の場合には１００万歩）に到達した場合には、音響再生装置１の使用者は、応募はがきを送るなどといった手間をかけることなく、ハワイ旅行プレゼントというイベントキャンペーンに自動的に応募することができる。すなわち、応募者多数の場合には、当該サーバ装置３（Ｘ）は、抽選によって当選者を決定し、ハワイ旅行をプレゼントするようにすることができれる。当選の発表の形式は種々の態様を取ることができる。例えば、郵送により当選を知らせたり、電子メールで当選を知らせたり、所定のホームページ上で発表するなど、種々の態様をとることができる。
【０２７１】
このように、この例の場合、イベントキャンペーンへの従来の応募の場合のように、例えば、商品に添付されている応募シールや応募券をはがきなどに添付して郵送で申し込むなどのように、応募者が手間をかけることもない。すなわち、この実施の形態の音響再生装置１で再生される音楽を聴取しながらウォーキング、ジョギング、ランニングを行うことにより、歩数の履歴を取ることができ、その情報をサーバ装置３（Ｘ）に情報処理装置２を通じて送信するだけで、サーバ装置において歩数の累計が管理され、予め設定された目的歩数に到達した場合に自動的にイベントキャンペーンに応募することができる。このように、イベントキャンペーンへの新たな応募形態を提供することができる。
【０２７２】
［ブログ情報の蓄積、掲載（公開）サービス］
図３１は、サービス情報提供装置３が、図１に示したブログサーバ装置３（４）である場合において、当該ブログサーバ装置３（４）が提供するサービスについて説明するための図である。このブログサーバ装置３（４）が提供するサービスは、上述した音楽サーバ装置３（１）、運動支援サーバ装置３（２）、健康支援サーバ装置３（３）のように、要求元の情報処理装置２に対して、必ずしも返信すべき情報が存在する必要がないものである。すなわち、ブログサーバ装置３（４）は、情報処理装置２を介して送信されてきたサービス提供要求に含まれるプロファイル情報や履歴情報を記憶保持するサービスと、その記憶保持した情報を、ネットワーク１００を通じてアクセスしてくる不特定多数の情報処理装置に対して広く公開するサービスとを実現するものである。
【０２７３】
この例の場合にも、上述した音楽コンテンツサービス等の場合と同様に、音響再生装置１の使用者が、音響再生装置１で音楽データを再生しながら、これに合わせてウォーキング、ジョギング、ランニングなどの運動を行うようにすると、再生楽曲情報と運動情報とからなる運動実施履歴が、音響再生装置１の記憶装置部５３に蓄積される。
【０２７４】
そして、自宅に設置されている情報処理装置２に当該音響再生装置１を接続して、所定の操作を行うと、情報処理装置２の制御部２１０は、音響再生装置１から図１３Ｂを用いて説明した運動実施履歴や個人第１プロファイル情報を収集し、これらの収集した情報と、自機が保持する個人第２プロファイル情報とを含めたサービス提供要求を生成し、これを通信Ｉ／Ｆ２４１を通じて目的とするブログサーバ装置３（４）に送信する。なお、この例の場合、音響再生装置１の使用者は、情報処理装置２を通じて例えば２００文字程度のコメントを入力し、これをサービス提供要求に含めることができるようにされる。
【０２７５】
そして、ブログサーバ装置３（４）の制御部３１０は、通信Ｉ／Ｆ３３１を通じて情報処理装置２からのサービス提供要求を受信すると、当該サービス提供要求に含まれる個人第１プロファイル情報、個人第２プロファイル情報、運動実施履歴、運動目標設定履歴、コメント情報、運動実施年月日などの必要な情報を抽出する。
【０２７６】
そして、ブログサーバ装置３（４）の制御部３１０は、抽出した情報に基づいて、例えば、図３１（Ａ）に示すように、音響再生装置１の使用者毎に、運動実地年月日、コメント、運動実施履歴に含まれる再生された楽曲のタイトル（曲Ａ、Ｂ、Ｃ、…等）、今日の運動量（歩数）、今日の消費カロリーからなるブログ公開用の履歴情報を形成し、これを履歴情報蓄積部３５１に蓄積していく。なお、ブログ公開用の履歴情報の内、消費カロリーは、上述した計算式に基づいて算出可能であるし、それ以外の情報は、サービス提供要求に含まれている情報の中から抽出することができる。
【０２７７】
このようにして、ブログサーバ装置３（４）の履歴情報蓄積部３５１に蓄積されたブログ公開用の履歴情報は、図３１（Ｂ）に示すように、例えば、「太郎の徒然日記」などのように予め指示するようにされたタイトルを付して、ブログに掲載し、広く公開することができるようにされる。
【０２７８】
このように、ブログサーバ装置３（４）は、情報処理装置２を通じて送信されてくる音響再生装置１からの情報から必要な情報を抽出したり、あるいは、演算して生成したりしてブログ公開用の履歴情報を再生して記憶保持するサービスと、記憶保持しているブログ公開用の履歴情報をブログに公開して、不特定多数の閲覧者に対して提供するサービスとを行うことができるものである。
【０２７９】
図２９〜図３１を用いて説明したように、この実施の形態の健康運動支援システムにおいては、音響再生装置１の使用者は、音響再生装置１をもに付けて、音響再生装置１を通じて再生される音楽を聴取しながら運動を行うと、運動実施履歴等を自動的に生成して記憶保持し、この履歴情報をも含むサービス提供要求を生成して、これを情報処理装置２を介してネットワーク１００上に設けられている目的とするするサーバ装置に送信することによって、履歴情報に含まれる情報に応じて、当該サーバ装置が提供するサービスの提供を受けることができるようにされる。
【０２８０】
そして、この実施の形態の健康運動支援システムは、行った運動の運動量に応じて、種々のサービスの提供を受けることができるようにしたり、自分が行った運動についての履歴情報をブログとして公開したりするなどのことが簡単にできるようにすることによって、健康増進のための運動を継続できるようにするためのインセンティブ付与することができる。
【０２８１】
また、運動時の自分に適した音楽情報についての情報や運動用品についての情報等の必要な情報をタイムリーに使用者に提供するようにすることができる。また、運動の履歴情報を管理し、利用できるようにすることによって、健康管理を行うようにすることができる。
【０２８２】
使用者の健康増進などを目的として開かれる種々のイベントキャンペーンへの参加を容易に行えるようにすることによって、使用者の健康増進、サービス情報提供装置の利用の促進など、種々の目的を実現できる健康運動支援システムを構築することができる。
【０２８３】
運動を行う使用者に対して、多様化した広告の中から適した広告を提供するようにするなどのことも実現することができる。
【０２８４】
［健康運動支援システムの変形例について］
次に、健康運動支援システムの変形例について説明する。図３２、図３３は、健康運動支援システムの変形例を説明するための図である。上述した実施の形態の健康運動支援システムは、図１に示したように、音響再生装置１、情報処理装置２、ネットワーク１００上に設けられる１つ以上のサービス情報提供装置３とから構成されたものである。この場合、上述もしたように、情報処理装置２は、音響再生装置１の使用者の自宅などに設置され、通信機能を備えたパーソナルコンピュータなどの機器である。しかし、必ずしも情報処理装置２が必要なわけではない。
【０２８５】
例えば、図３２に示すように、音響再生装置１、店舗情報端末４（ｎ）、音響サーバ装置３（１）、運動支援サーバ装置３（２）、健康支援サーバ装置３（３）、ブログサーバ装置３（４）等のサービス情報提供装置３とによって、健康運動支援システムを構成するようにすることができる。
【０２８６】
図３２に示した店舗情報端末４（ｎ）は、例えば、コンビニエンスストア、ＣＤ（Compact Disc）ショップ、ビデオレンタルショップなどの種々の店舗の店頭に設置されるものであり、基本的に、上述した実施の形態の情報処理装置２と同様の機能を持たせるようにしたものである。もちろん、この例の店舗情報端末４（ｎ）は、不特定多数の使用者に用いられるものであるため、上述した情報処理装置２とは若干の機能違いが生じる。
【０２８７】
すなわち、図３２に示した店舗情報端末４（ｎ）は、ネットワークへの接続機能、音響再生装置１との接続機能、音響再生装置１に蓄積されているプロファイル情報や履歴情報を吸い上げる機能、吸い上げたプロファイル情報や履歴情報などを含むサービス提供要求を生成する機能、生成したサービス提供要求を目的とするサーバ装置に送信する機能、当該目的とするサーバ装置から返信されてくるサービス情報等を受信する機能、受信したサービス情報等を接続されている音響再生装置１に転送する機能などを有するものである。
【０２８８】
ここで、受信したサービス情報等を接続されている音響再生装置１に転送する機能が、図１を用いて説明した情報処理装置２が備えていなかった機能である。この機能を備えることにより、不特定多数のユーザが使用する店舗情報端末４（ｎ）を長時間に渡って占有することなく、店舗情報端末４（ｎ）を効率よく使用するようにすることができる。そして、音響再生装置１の使用者は、転送された情報を音響再生装置１の表示部３４の表示画面３４Ｇに表示して確認したり、あるいは、自宅のパーソナルコンピュータなどの情報処理装置２に転送して、情報処理装置２を通じて表示したり、プリントアウトするなどしてサービス情報提供装置３からの情報を確認することができる。
【０２８９】
もちろん、店舗情報端末４（ｎ）において、サービス情報提供装置３から受信したサービス情報等を接続されている音響再生装置１に転送するようにしない場合には、受信したサービス情報等を所定の用紙に印字して出力したり（プリント出力したり）、上述した情報処理装置２の場合と同様に、受信した情報情報を表示部の表示画面に表示して提供するようにすることもできる。すなわち、店舗情報端末４（ｎ）は、図２５に示した情報処理装置２とほぼ同様の構成を有することになる。
【０２９０】
このように、図３２に示した構成の健康運動支援システムの場合には、例えば、旅行先で音響再生装置１を身に付けて運動を行った使用者が、適宜のタイミングで最寄の店舗情報端末４（ｎ）に自己の音響再生装置１を持ち込むことにより、目的とするサービス情報の提供を受けるなど、目的とするサービスの提供を受けることができるようにされる。つまり、運動時に用いるようにした音響再生装置１を自宅まで持ち帰って、自宅の情報処理装置２を通じてサービス情報提供装置３との間で情報の送受を行うようにしなくても、最寄の店舗情報端末４（ｎ）を利用することにより、適宜のタイミングでサービス情報提供装置３からのサービスの提供を受けることができる。
【０２９１】
また、図３３に示すように、情報処理装置２も店舗情報端末４（ｎ）も用いることなく、基本的に、音響再生装置１Ｘと、音響サーバ装置３（１）、運動支援サーバ装置３（２）、健康支援サーバ装置３（３）、ブログサーバ装置３（４）等のサービス情報提供装置３とにより、健康運動支援システムを構成することもできる。
【０２９２】
この図３３に示した例の健康運動支援システムの場合には、音響再生装置１Ｘ自体が通信機能を備え、音響再生装置１Ｘが自機に蓄積した運動実地履歴や個人プロファイル情報等を含むサービス提供要求を生成して、目的とするサービス情報提供装置３に対して送信し、これに応じてサービス情報提供装置３から返信されてくるサービス情報等を音響再生装置１Ｘ自体が受信し、これを音響再生装置１Ｘの表示部を通じて提供することができるようにされる。
【０２９３】
図３４は、図３３に示した健康運動支援システムの音響再生装置１Ｘの構成を説明するためのブロック図である。図３４と図２とを比較すると分かるように、図３４に示すこの例の音響再生装置１Ｘは、図２に示した音響再生装置１に対して、通信Ｉ／Ｆ６１、送受信回路６２、送受信アンテナ６３が設けられたものである。したがって、図３４に示すこの例の音響再生装置１Ｘにおいて、図２に示した音響再生装置１と同様に構成される部分には、同じ参照符号を付し、その部分の詳細な説明については省略する。
【０２９４】
そして、図３４に示す音響再生装置１Ｘの通信Ｉ／Ｆ６１は、広域ネットワークに接続し、種々のデータを送受できるようにする機能を実現するものである。具体的には、音響再生装置１Ｘは、図２に示した音響再生装置１と同様に、携帯型のものであり、ウォーキング、ジョギング、ランニングといった運動行う使用者の身体に装着するようにされて、あるいは、使用者の衣服のポケットなどに入れられて利用されるものである。
【０２９５】
このため、この例の音響再生装置１Ｘの通信Ｉ／Ｆ６１は、図３３に示すように、例えば携帯電話網２００などの携帯通信端末用のネットワークを介して、インターネットなどのネットワーク１００に接続し、当該ネットワーク１００上に設けられた種々のサービス情報提供装置３にアクセスすることができるようにしている。
【０２９６】
また、この例の音響再生装置１Ｘは、送受信回路６２、送受信アンテナ６３を通じて、例えば、無線ＬＡＮ（Local Area Network）などに接続することによって、無線ＬＡＮ経由でインターネットに接続したり、あるいは、無線ＬＡＮに接続された機器との間でデータの送受を行うよにしたりすることもできるようにしている。
【０２９７】
そして、図３３に示した例の健康運動支援システムの場合、音響再生装置１Ｘを身に付けた使用者が、当該音響再生装置１Ｘによって再生される音楽を聴取しながら運動を行うようにすると、図２を用いて説明した音響再生装置１と同様に、運動目標設定履歴、運動実施履歴などの情報が、記憶装置部５３に記憶保持するようにされる。
【０２９８】
また、この例の音響再生装置１Ｘは、上述した個人第１プロファイル情報と個人第２プロファイル情報との両方を保持しており、キー操作部４１を通じてサービス提供要求を生成して送信することを指示する使用者による所定の操作を受け付けると、制御部１０は、個人プロファイル情報、運動目標設定履歴、運動実施履歴などの情報を含むサービス提供要求を生成して、例えば、通信Ｉ／Ｆ６１を介して、ネットワーク１００上の目的とするサービス情報提供装置３に送信する。
【０２９９】
この場合、目的とするサービス情報提供装置３を特定するアドレス情報等も音響再生装置１Ｘの例えば記憶装置部５３に記憶保持されており、サービス提供要求には、目的とする相手先であるサービス情報提供装置を特定するアドレス情報や、当該サービス提供要求の送信元である情報処理装置２を特定するアドレス情報などの相互に通信を行うために必要な情報も含まれる。
【０３００】
このようにして、送出されるサービス提供要求に応じて、目的とするサービス情報提供装置３からサービス情報等が返信されてきて、通信Ｉ／Ｆ６１を通じてこれを受信すると、音響再生装置１Ｘの制御部１０は、これを表示回路３３を通じて表示部３４の表示画面３４Ｇに表示して、当該音響再生装置１Ｘの使用者に提供することができるようにされる。
【０３０１】
このように、図３３に示した構成の健康運動支援システムの場合には、場所を選ばず、いつでも適宜のタイミングで目的とするサービス情報提供装置が提供する種々のサービスを利用することができる。
【０３０２】
[運動量の算出方式の他の例]
上述した実施の形態において、消費カロリーの算出は、図１４〜図１６を用いて説明したように、入力される個人プロフィール情報と、運動時に再生された楽曲のテンポと、運動時間とに基づいて算出したり、また、図１７を用いて説明したように、入力される個人プロフィール情報の体重と、ＭＥＴＳ値と、運動時間とを用いて算出したりして、把握するようにした。しかし、これに限るものではない。もっと簡便的に把握することも可能である。
【０３０３】
図３５は、消費エネルギーを簡易的に求める場合の計算例を説明するための図である。使用者が行う運動がウォーキングの場合であって、使用者の歩幅をその平均的な値である０．７ｍ（７０ｃｍ）と仮定したとする。この場合には、図３５の（３３）式に示すように、定数０．５と、体重と、歩行距離（運動距離）との掛け算によって消費カロリーを求めることができるし、また、歩行距離に代えて歩数を用いた場合には、図３５の（３４）式に示すように、定数０．０００３５と、体重と、歩数との掛け算によって消費カロリーを求めることができる。
【０３０４】
また、使用者が行う運動がウォーキングの場合であって、使用者の移動速度をその平均的な値である４ｋｍ／ｈ（時速４ｋｍ）と仮定したとする。この場合には、図３５の（３５）式に示すように、定数０．５と、体重と、歩行距離（運動距離）との掛け算によって消費カロリーを求めることができるし、また、歩行距離に代えて運動時間を用いた場合には、図３５の（３６）式に示すように、定数０．０３３と、体重と、運動時間との掛け算によって消費カロリーを求めることができる。
【０３０５】
また、使用者が行う運動がジョギングの場合であって、使用者の歩幅をその平均的な値である０．７ｍ（７０ｃｍ）と仮定したとする。この場合には、図３５の（３７）式に示すように、定数１．０と、体重と、歩行距離（運動距離）との掛け算によって消費カロリーを求めることができるし、また、歩行距離に代えて歩数を用いた場合には、図３５の（３８）式に示すように、定数０．０００７と、体重と、歩数との掛け算によって消費カロリーを求めることができる。
【０３０６】
また、使用者が行う運動がジョギングの場合であって、使用者の移動速度をその平均的な値である８ｋｍ／ｈ（時速８ｋｍ）と仮定したとする。この場合には、図３５の（３９）式に示すように、定数１．０と、体重と、歩行距離（運動距離）との掛け算によって消費カロリーを求めることができるし、また、歩行距離に代えて運動時間を用いた場合には、図３５の（４０）式に示すように、定数０．１３と、体重と、運動時間との掛け算によって消費カロリーを求めることができる。
【０３０７】
このように、運動時の移動速度、または、歩数を、それらの平均的な値として仮定することにより、図３５に示したように、使用者が行った運動によって消費される消費カロリーを簡易的に計算することが可能である。
【０３０８】
なお、上述したように、簡易的な計算式を用いることにより、ＣＰＵに負荷をかけることなく運動量を把握することができるので、運動量としての消費カロリーを計算する装置の小型化や、消費電力の省力化を促進することができる。
【０３０９】
［その他］
なお、上述した実施の形態においては、使用者が行う運動は、主にウォーキング、ジョギング、ランニングである場合を想定して説明したが、これに限るものではない。少なくとも、ウォーキング、ジョギング、ランニング、ダッシュなどのいわゆる歩行運動の範囲に含まれるものや、自転車こぎ、ボート漕ぎ、縄跳びなどの比較的に長時間に渡って継続可能なもの、さらには、腹筋、背筋、腕立て伏せなどのいわゆる筋力トレーニングなどであってもよい。
【０３１０】
また、算出すべき運動量情報としては、運動時間、歩行距離などの運動距離、平均速度、消費カロリー、脂肪燃焼量などの内、使用者が必要とする１つ以上の情報を算出して提示できるようにすればよい。また、心拍センサ、血圧センサ、体温計などを併用し、これらの情報を取得して使用者に提示することも可能である。
【０３１１】
また、使用者のプロフィール情報としては、氏名、年齢、身長、体重等が入力できればよく、また、正確に歩幅を測るようにして、歩幅を示す情報をプロフィール情報として入力するようにしてもよい。この他、平常時の心拍数、血圧、体温などを入力したり、計測してこれを入力するようにしたりすることも可能である。
【０３１２】
また、楽曲情報リストは、図９に示したものに限るものではない。音楽データの発表日、人気ランキングなどの種々の付加情報を付加するようにしてももちろんよい。このような種々の付加情報は、例えば、ネットワーク１００上に設けられたサーバ装置の音楽データベースなどを通じて使用者の音響再生装置に提供できるようにしたり、ＣＤ（Compact Disc）やＤＶＤ（Digital Versatile Disc）、半導体メモリカードなどの記録媒体を介して使用者の音響再生装置に提供したりしてもよい。
【０３１３】
また、上述もしたように、音響再生装置１、１Ｘに搭載される音楽情報記憶装置部２１や記憶装置部５３の記録媒体としては、ＣＤやＤＶＤなどの光ディスク、ＭＤ（（Mini Disc）登録商標）などの光磁気ディスク、磁気テープ、ハードディスク、半導体メモリー、ＩＣメモリカードなどの種々の記録媒体を用いるようにすることが可能である。
【０３１４】
また、音響再生装置１、音響再生装置１Ｘにおいて、楽曲情報リストや種々の履歴情報などの情報は、音楽情報記憶装置部２１や記憶装置部５３の記録媒体のほか、例えば、制御部１０にＥＥＰＲＯＭ（Electrically Erasable and Programmable ROM）やフラッシュメモリなどの不揮発性メモリーを設けるようにし、ここに作成するように構成することも可能である。
【０３１５】
また、上述した実施の形態においては、音響再生装置１から目標運動量の履歴である運動目標設定履歴、運動実施履歴、個人プロファイル情報を含むサービス提供要求を生成して、サービス情報提供装置３に送信するものとして説明したが、これに限るものではない。必要な情報のみをサービス提供要求に含めて送信するようにすればよい。例えば、運動目標設定履歴、運動情報の履歴、音楽データの再生履歴の少なくとも１つ以上を含むサービス提供要求を生成して、これをサービス情報提供装置に送信するようにすればよい。
【０３１６】
すなわち、情報処理装置２や音響再生装置１Ｘからサービス情報提供装置３に送信されるサービス提供要求には、サービス情報提供装置３側で必要になる情報のみを含めるようにすればよい。例えば、歩数のみを累計するのであれば、運動情報の履歴としては、歩数のみを送信すればよい。また、消費カロリーが必要な場合には、音響再生装置１や情報処理装置２、あるいは、音響再生装置１Ｘ側で消費カロリーを演算により求め、これをサービス提供要求に含めて送信することも可能であるし、サービス提供要求に含められる情報に基づいて、サービス情報提供装置３側で消費カロリーなどの必要な情報を演算により求めるようにしてもよい。
【０３１７】
また、サービス情報提供装置３側において、音響再生装置１の使用者毎に履歴情報を管理できる場合には、個人プロファイル情報のうち、基本的に変化することのない氏名、性別などの情報を初めからサービス情報提供装置３側で管理するようにし、サービス提供要求に含めないようにすることもできる。
【０３１８】
また、サービス情報提供要求には、目的とするサービス情報提供装置３を特定するアドレス情報や、サービス提供要求を送信した情報処理装置２や音響再生装置１Ｘを特定することができるアドレス情報等を必ず含み、サービス提供要求が送信されるべき相手先であるサービス情報提供装置を確実に特定することができると共に、また、サービス情報提供装置３においては、受信したサービス提供要求に含まれる情報に基づいて、サービス提供要求に応じて返信すべき情報の返信先を正確に特定し、その特定した返信先に返信情報を確実に返信することができるようにされている。
【０３１９】
また。上述した実施の形態においては、主に音楽データを再生する場合を例にして説明したが、これに限るものではない。表示回路３３及び表示部３４を通じて再生する映像データに同期して音楽データをも再生するＡＶ（Audio/Visual）データを再生する場合であっても、この発明を適用することができる。
【０３２０】
また、予め使用者が入力した目標運動時間あるいは目標運動量から運動時に再生する楽曲リストを自動的に生成する機能などをも搭載し、これらの機能を併用するようにしてもよい。また、使用者の入力した運動情報から楽曲を提示することも可能である。この場合も、運動センサの情報を利用して使用者の運動のテンポを検出して楽曲を選択提示した場合と同様にして運動量情報を求めることが可能である。
【０３２１】
また、使用者の動作テンポに応じたテンポの音楽データを自動的に選択して再生する機能他、使用者が運動の種類、時間、強度、再生楽曲のデータをあらかじめ用意してプレイリストを作って登録しておくことも可能であり、この場合にも先の例と同様に運動量情報を求めることが可能である。（たとえばサーキットトレーニングなどで利用できる。）
【図面の簡単な説明】
【０３２２】
【図１】この発明による一実施の形態が適用された健康運動支援システムを説明するための図である。
【図２】図１に示した音響再生装置１を説明するためのブロック図である。
【図３】図２に示した音響再生装置１が取り得る代表的な外観の例を説明するための図である。
【図４】音響再生装置１の動作を説明するためのフローチャートである。
【図５】図４に続くフローチャートである。
【図６】音響再生装置１においての個人プロフィール取得例を説明するための図である。
【図７】音響再生装置１においての目標運動量取得例を説明するための図である。
【図８】音響再生装置１においての目標運動量取得例を説明するための図である。
【図９】音響再生装置１においての再生可能な楽曲の一覧リストである楽曲情報リストの一例を説明するための図である。
【図１０】音響再生装置１においてのプレイリストの生成例を説明するための図である。
【図１１】音響再生装置１においての再生中表示の例を説明するための図である。
【図１２】音響再生装置１においての運動量情報の表示例を説明するための図である。
【図１３】音響再生装置１においての記憶保持する履歴情報の一例を説明するための図である。
【図１４】歩行距離等の算出について説明するための図である。
【図１５】運動時の移動の平均速度の算出を説明するための図である。
【図１６】１分間当たりの消費エネルギーを用いて消費エネルギーを求める場合について説明するための図である。
【図１７】運動ごとに定められる運動強度を示す値であるＭＥＴＳ値を用いて消費エネルギーを求める場合について説明するための図である。
【図１８】脂肪燃焼量を求める場合について説明するための図である。
【図１９】ＭＥＴＳ値について説明するための図である。
【図２０】ＭＥＴＳ値について説明するための図である。
【図２１】消費カロリーを求める場合の具体例を説明するための図である。
【図２２】消費カロリーを求める場合の具体例を説明するための図である。
【図２３】運動センサ２４として設けられた３軸の加速度センサの鉛直方向の出力を示す図である。
【図２４】健康運動支援システムを構成する音響再生装置１、情報処理装置２、サービス情報提供装置３の各機器間において送受される情報について説明するための図である。
【図２５】情報処理装置２の構成例を説明するためのブロック図である。
【図２６】情報処理装置２がサービス情報を受信して利用する場合の処理を説明するためのフローチャートである。
【図２７】サービス情報提供装置３の構成例を説明するためのブロック図である。
【図２８】サービス情報提供装置３がサービス情報を生成して返信する場合の処理を説明するためのフローチャートである。
【図２９】サービス情報提供装置３が提供可能なサービスの具体例について説明するための図である。
【図３０】サービス情報提供装置３が提供可能なサービスの具体例について説明するための図である。
【図３１】サービス情報提供装置３が提供可能なサービスの具体例について説明するための図である。
【図３２】健康運動支援システムの変形例を説明するための図である。
【図３３】健康運動支援システムの変形例を説明するための図である。
【図３４】図３３に示した健康運動支援システムの音響再生装置１Ｘの構成を説明するためのブロック図である。
【図３５】使用者の消費エネルギーを簡易的に求める場合の計算例を説明するための図である。
【符号の説明】
【０３２３】
１、１Ｘ…音響再生装置、１０…制御部、１１…ＣＰＵ、１２…ＲＯＭ、１３…ＲＡＭ、１４…ＣＰＵバス、２１…音楽情報記憶装置部、２２…音楽再生データ生成装置部、２３…運動情報解析回路、２４…運動情報センサ、３１…音声信号出力処理部、３２…スピーカ、３３…表示回路、３４…表示部、４１…キー操作部、４２…マイクロホン、４３…音声信号入力処理部、５１…外部端子、５１…Ｉ／Ｆ（インターフェイス）、５３…記憶装置部、６１…通信Ｉ／Ｆ、６２…送受信回路、６３…送受信アンテナ、２…情報処理装置、２１０…制御部、２１１…ＣＰＵ、２１２…ＲＯＭ、２１３…ＲＡＭ、２１４…ＥＥＰＲＯＭ、２１５…ＣＰＵバス、２２１…入出力端子、２２２…外部Ｉ／Ｆ、２３１…操作部、２４１…通信Ｉ／Ｆ、２５１…サービス提供要求生成部、２６１…映像出力処理部、２６２…表示部２６２、２７１…記憶装置部、３…サービス情報提供装置、３１０…制御部、３１１…ＣＰＵ、３１２…ＲＯＭ、３１３…ＲＡＭ、３１４…ＥＥＰＲＯＭ、３１５…ＣＰＵバス、３２１…操作部、３２２…入出力端子、３２３…外部Ｉ／Ｆ、３３１…通信Ｉ／Ｆ、３４１…サービス情報生成部、３５１…履歴情報蓄積部、３５２…コンテンツ情報蓄積部
【図１】
2008048757.tif 000003
【図２】
2008048757.tif 000004
【図３】
2008048757.tif 000005
【図４】
2008048757.tif 000006
【図５】
2008048757.tif 000007
【図６】
2008048757.tif 000008
【図７】
2008048757.tif 000009
【図８】
2008048757.tif 000010
【図９】
2008048757.tif 000011
【図１０】
2008048757.tif 000012
【図１１】
2008048757.tif 000013
【図１２】
2008048757.tif 000014
【図１３】
2008048757.tif 000015
【図１４】
2008048757.tif 000016
【図１５】
2008048757.tif 000017
【図１６】
2008048757.tif 000018
【図１７】
2008048757.tif 000019
【図１８】
2008048757.tif 000020
【図１９】
2008048757.tif 000021
【図２０】
2008048757.tif 000022
【図２１】
2008048757.tif 000023
【図２２】
2008048757.tif 000024
【図２３】
2008048757.tif 000025
【図２４】
2008048757.tif 000026
【図２５】
2008048757.tif 000027
【図２６】
2008048757.tif 000028
【図２７】
2008048757.tif 000029
【図２８】
2008048757.tif 000030
【図２９】
2008048757.tif 000031
【図３０】
2008048757.tif 000032
【図３１】
2008048757.tif 000033
【図３２】
2008048757.tif 000034
【図３３】
2008048757.tif 000035
【図３４】
2008048757.tif 000036
【図３５】
2008048757.tif 000037